(57)【要約】【課題】無駄な電力消費を抑えつつ、簡単な構成で、３以上の負荷回路に流れる電流をほぼ均一にする。【解決手段】カレントミラー回路１１０は、４つのトランジスタＱ１１〜Ｑ２２を有する。トランジスタＱ１１〜Ｑ２２はそれぞれ、ＬＥＤ回路２１０〜２４０（負荷回路）と直列にコレクタ−エミッタ間を接続している。トランジスタＱ１１〜Ｑ２２のベース端子は、配線ｂ０（共通入力接続部）を介して互いに接続している。配線ｂ０とトランジスタＱ１１のコレクタ端子との間は、配線（第一入力接続部１１１）を介して接続している。配線ｂ０とトランジスタＱ２１のコレクタ端子との間は、ダイオードＤ２５（第二入力接続部１１２）を介して接続している。【選択図】図４
2008311248.tif 000002
【特許請求の範囲】
【請求項１】
第一の負荷回路と第二の負荷回路と第三の負荷回路とに直流電圧を供給し、上記第一の負荷回路に流れる電流と上記第二の負荷回路に流れる電流と上記第三の負荷回路に流れる電流とを略均一にする電源装置において、
第一のトランジスタ素子と、
第二のトランジスタ素子と、
第三のトランジスタ素子と、
上記第一のトランジスタ素子のコレクタ端子またはドレイン端子を上記第一の負荷回路に接続する第一負荷接続部と、
上記第二のトランジスタ素子のコレクタ端子またはドレイン端子を上記第二の負荷回路に接続する第二負荷接続部と、
上記第三のトランジスタ素子のコレクタ端子またはドレイン端子を上記第三の負荷回路に接続する第三負荷接続部と、
上記第一のトランジスタ素子及び上記第二のトランジスタ素子及び上記第三のトランジスタ素子それぞれのベース端子またはゲート端子を互いに接続する共通入力接続部と、
上記第一負荷接続部と上記共通入力接続部とを接続する第一入力接続部と、
上記第二負荷接続部と上記共通入力接続部とを接続する第二入力接続部と
を有することを特徴とする電源装置。
【請求項２】
上記第二入力接続部は、ダイオード素子を介して上記第二負荷接続部と上記共通入力接続部とを接続することを特徴とする請求項１に記載の電源装置。
【請求項３】
上記第一入力接続部は、ダイオード素子を介して上記第一負荷接続部と上記共通入力接続部とを接続することを特徴とする請求項２に記載の電源装置。
【請求項４】
上記第二入力接続部は、直列接続した複数のダイオード素子を介して上記第二負荷接続部と上記共通入力接続部とを接続することを特徴とする請求項２または請求項３に記載の電源装置。
【請求項５】
上記第一入力接続部は、上記第一負荷接続部の側にベース端子またはゲート端子を接続され、上記共通入力接続部の側にエミッタ端子またはソース端子を接続された第四のトランジスタ素子を含み、
上記第二入力接続部は、上記第二負荷接続部の側にベース端子またはゲート端子を接続され、上記共通入力接続部の側にエミッタ端子またはソース端子を接続された第五のトランジスタ素子を含むことを特徴とする請求項１乃至請求項４のいずれかに記載の電源装置。
【請求項６】
上記第一入力接続部は、更に、限流素子を介して上記第一負荷接続部と上記共通入力接続部とを接続し、
上記第二入力接続部は、更に、限流素子を介して上記第二負荷接続部と上記共通入力接続部とを接続することを特徴とする請求項１乃至請求項５のいずれかに記載の電源装置。
【請求項７】
上記電源装置は、更に、
上記第一の負荷回路に流れる電流と、上記第二の負荷回路に流れる電流と、上記第三の負荷回路に流れる電流との総和を検出する電流検出部と、
上記第一の負荷回路と上記第二の負荷回路と上記第三の負荷回路とに直流電圧を供給し、上記電流検出部が検出した電流の総和が一定になるよう、供給する直流電圧を調整する直流電源回路と
を有することを特徴とする請求項１乃至請求項６のいずれかに記載の電源装置。
【請求項８】
上記電源装置は、更に、
上記第一の負荷回路の異常を検出する第一異常検出部と、
上記第一異常検出部が上記第一の負荷回路の異常を検出した場合に上記第一の負荷回路に対する直流電圧の供給を遮断する第一スイッチング素子と
を有することを特徴とする請求項１乃至請求項７のいずれかに記載の電源装置。
【請求項９】
上記第一のトランジスタ素子は、絶縁型電界効果トランジスタであり、
上記第一異常検出部は、上記第一のトランジスタ素子のソース端子の電位を測定することにより、上記第一の負荷回路の異常を検出する
ことを特徴とする請求項８に記載の電源装置。
【請求項１０】
上記電源装置は、更に、
上記第二の負荷回路の異常を検出する第二異常検出部と、
上記第二異常検出部が上記第二の負荷回路の異常を検出した場合に上記第二の負荷回路に対する直流電圧の供給を遮断する第二スイッチング素子と
を有することを特徴とする請求項１乃至請求項９のいずれかに記載の電源装置。
【請求項１１】
上記第一入力接続部は、上記第一異常検出部が上記第一の負荷回路の異常を検出した場合に上記第一負荷接続部と上記共通入力接続部との接続を遮断する
ことを特徴とする請求項８または請求項９に記載の電源装置。
【請求項１２】
上記第二入力接続部は、上記第二異常検出部が上記第二の負荷回路の異常を検出した場合に上記第二負荷接続部と上記共通入力接続部との接続を遮断する
ことを特徴とする請求項１０に記載の電源装置。
【請求項１３】
上記電源装置は、更に、
ベース端子またはゲート端子が上記共通入力接続部に接続された第六のトランジスタ素子と、
上記第六のトランジスタ素子のコレクタ端子またはドレイン端子を第四の負荷回路に接続する第四負荷接続部と
を有し、
上記第一異常検出部は、更に、上記第三の負荷回路の異常を検出し、
上記第一スイッチング素子は、
上記第一異常検出部が上記第一の負荷回路の異常を検出した場合及び上記第三の負荷回路の異常を検出した場合に、上記第一の負荷回路及び上記第三の負荷回路に対する直流電圧の供給を遮断する
ことを特徴とする請求項８または請求項９に記載の電源装置。
【請求項１４】
上記電源装置は、更に、
ベース端子またはゲート端子が上記共通入力接続部に接続された第六のトランジスタ素子と、
上記第六のトランジスタ素子のコレクタ端子またはドレイン端子を第四の負荷回路に接続する第四負荷接続部と
を有し、
上記第二異常検出部は、更に、上記第四の負荷回路の異常を検出し、
上記第二スイッチング素子は、
上記第二異常検出部が上記第二の負荷回路の異常を検出した場合及び上記第四の負荷回路の異常を検出した場合に、上記第二の負荷回路及び上記第四の負荷回路に対する直流電圧の供給を遮断する
ことを特徴とする請求項１０に記載の電源装置。
【請求項１５】
１以上の発光ダイオード素子を直列に接続した第一発光ダイオード回路と、
１以上の発光ダイオード素子を直列に接続した第二発光ダイオード回路と、
１以上の発光ダイオード素子を直列に接続した第三発光ダイオード回路と、
上記第一発光ダイオード回路を上記第一の負荷回路とし、上記第二発光ダイオード回路を上記第二の負荷回路とし、上記第三発光ダイオード回路を上記第三の負荷回路とする請求項１乃至請求項１４のいずれかに記載の電源装置と
を備えることを特徴とする発光ダイオード点灯装置。
【請求項１６】
１以上の発光ダイオード素子を直列に接続した第一発光ダイオード回路と、
１以上の発光ダイオード素子を直列に接続した第二発光ダイオード回路と、
１以上の発光ダイオード素子を直列に接続した第三発光ダイオード回路と、
１以上の発光ダイオード素子を直列に接続した第四発光ダイオード回路と、
上記第一発光ダイオード回路を上記第一の負荷回路とし、上記第二発光ダイオード回路を上記第二の負荷回路とし、上記第三発光ダイオード回路を上記第三の負荷回路とし、上記第四発光ダイオード回路を上記第四の負荷回路とする請求項１３または請求項１４に記載の電源装置と、
上記第一発光ダイオード回路及び上記第三発光ダイオード回路が発光する光によって光る第一の誘導灯表示板と、
上記第二発光ダイオード回路及び上記第四発光ダイオード回路が発光する光によって光る第二の誘導灯表示板と
を備えることを特徴とする誘導灯装置。
【発明の詳細な説明】
【技術分野】
【０００１】
この発明は、３以上の負荷回路に流れる電流を均一にする電源装置に関する。
【背景技術】
【０００２】
複数の負荷回路に流れる電流を均一にする回路として、カレントミラー回路が知られている。
カレントミラー回路には、参照電流を外部から得るものと、負荷回路の一つから得るものとがある。
【特許文献１】実開平７−３９１２０号公報
【特許文献２】特開２００３−１５２２２４号公報
【特許文献３】特開２００４−３９６８４号公報
【特許文献４】特開２００６−２８６３３９号公報
【発明の開示】
【発明が解決しようとする課題】
【０００３】
参照電流を外部から得るカレントミラー回路は、参照電流を生成するための回路が必要である。また、参照電流を生成するために電力を消費する。そのため、構成が複雑になり、負荷の駆動に利用されない無駄な電力を消費する。
負荷回路の一つから参照電流を得るカレントミラー回路は、参照電流を生成するための回路が必要がなく、無駄な電力消費がない点で有利だが、参照電流が流れている負荷回路に異常が発生すると、他の負荷回路も駆動できなくなる。
この発明は、例えば、上記のような課題を解決するためになされたものであり、無駄な消費電力を抑え、簡単な構成で、３以上の負荷回路に流れる電流をほぼ均一にすることを目的とする。
【課題を解決するための手段】
【０００４】
この発明にかかる電源装置は、
第一の負荷回路と第二の負荷回路と第三の負荷回路とに直流電圧を供給し、上記第一の負荷回路に流れる電流と上記第二の負荷回路に流れる電流と上記第三の負荷回路に流れる電流とを略均一にする電源装置において、
第一のトランジスタ素子と、
第二のトランジスタ素子と、
第三のトランジスタ素子と、
上記第一のトランジスタ素子のコレクタ端子またはドレイン端子を上記第一の負荷回路に接続する第一負荷接続部と、
上記第二のトランジスタ素子のコレクタ端子またはドレイン端子を上記第二の負荷回路に接続する第二負荷接続部と、
上記第三のトランジスタ素子のコレクタ端子またはドレイン端子を上記第三の負荷回路に接続する第三負荷接続部と、
上記第一のトランジスタ素子及び上記第二のトランジスタ素子及び上記第三のトランジスタ素子それぞれのベース端子またはゲート端子を互いに接続する共通入力接続部と、
上記第一負荷接続部と上記共通入力接続部とを接続する第一入力接続部と、
上記第二負荷接続部と上記共通入力接続部とを接続する第二入力接続部とを有することを特徴とする。
【発明の効果】
【０００５】
この発明にかかる電源装置によれば、正常時及び第二の負荷回路または第三の負荷回路が切断した場合には、第一の負荷回路を通った電流が第一入力接続部を介してベース電流として供給され、第一のトランジスタ素子及び第二のトランジスタ素子及び第三のトランジスタ素子を駆動し、第一の負荷回路が切断した場合には、第二の負荷回路を通った電流が第二入力接続部１１２を介してベース電流として供給され、第一のトランジスタ素子及び第二のトランジスタ素子及び第三のトランジスタ素子を駆動するので、いずれの負荷回路が故障した場合であっても、故障した負荷回路以外の負荷回路を流れる電流をほぼ均一にすることができるという効果を奏する。
【発明を実施するための最良の形態】
【０００６】
実施の形態１．
実施の形態１について、図１〜図７を用いて説明する。
【０００７】
図１は、この実施の形態における誘導灯装置８００の使用態様を示す斜視図である。
誘導灯装置８００は、非常口などを表示する誘導灯を点灯する装置であり、天井面などに設置して使用するものである。
【０００８】
図２は、この実施の形態における誘導灯装置８００の外観を示す三面図である。
誘導灯装置８００は、本体８１０、電源ユニット８２０、２枚のパネルユニット８３０を備える。
本体８１０及び電源ユニット８２０は、使用時には天井面に埋め込まれる。
本体８１０は、商用電源などからの配線を接続する端子台、停電時に誘導灯を点灯するための充電池などを内蔵する。
電源ユニット８２０は、後述する電源装置を内蔵する。
２枚のパネルユニット８３０は、同一の構成であり、使用時に室内から視認される部分である。２枚のパネルユニット８３０は、背中合わせに配置されており、誘導灯装置８００の表側から見ても裏側から見ても、誘導灯を視認できる。
【０００９】
図３は、この実施の形態におけるパネルユニット８３０の構成を示す分解図である。
パネルユニット８３０は、２つのＬＥＤユニット８３１、導光板８３５、誘導灯表示板８３８を備える。
ＬＥＤユニット８３１は、１以上の発光ダイオード素子を備え、発光ダイオード素子が発光した光は、導光板８３５によって拡散され、誘導灯表示板８３８の全面を均一に照射する。
【００１０】
誘導灯表示板８３８は、消防法により定められた図形が描かれた透光性の板であって、ＬＥＤユニット８３１の発光により、発光する。
なお、誘導灯表示板８３８は、パネルユニット８３０に着脱自在に取り付けられており、他の図柄のものと交換することが可能である。したがって、誘導灯装置８００は、誘導灯以外の用途に使用することもできる。
【００１１】
図４は、この実施の形態における誘導灯装置８００の電気回路の構成を示す電気回路図である。
誘導灯装置８００（発光ダイオード点灯装置）は、電源装置１００、４つのＬＥＤ回路２１０〜２４０を備える。
ＬＥＤ回路２１０〜２４０は、それぞれ１以上の発光ダイオードを直列に接続して構成される。
【００１２】
誘導灯装置８００はパネルユニット８３０を２枚備え、１枚のパネルユニット８３０はＬＥＤユニット８３１を２つ備えるので、誘導灯装置８００はＬＥＤユニット８３１を４つ備える。
４つのＬＥＤユニット８３１は、それぞれＬＥＤ回路２１０〜２４０のうちの１つを有する。
ＬＥＤ回路２１０を有するＬＥＤユニット８３１と、ＬＥＤ回路２２０を有するＬＥＤユニット８３１とは、１枚のパネルユニット８３０が備える２つのＬＥＤユニット８３１である。もう１枚のパネルユニット８３０は、ＬＥＤ回路２３０を有するＬＥＤユニット８３１と、ＬＥＤ回路２４０を有するＬＥＤユニット８３１とを備える。
【００１３】
電源装置１００は、ＬＥＤ回路２１０〜２４０に対して直流電圧を供給して、ＬＥＤ回路２１０〜２４０を構成する発光ダイオード素子を点灯する。
電源装置１００は、各ＬＥＤ回路２１０〜２４０を構成する発光ダイオード素子の輝度を均等にするため、各ＬＥＤ回路２１０〜２４０に流れる電流をほぼ均一にする。
【００１４】
また、４つのＬＥＤ回路２１０〜２４０のうちの１つが故障した場合、電源装置１００は、故障したＬＥＤ回路と同じパネルユニット８３０が備えるすべてのＬＥＤ回路に対する直流電圧の供給を停止して、発光ダイオード素子を消灯する。例えば、ＬＥＤ回路２１０が故障した場合、電源装置１００は、ＬＥＤ回路２１０及びＬＥＤ回路２２０に対する直流電圧の供給を停止する。故障したＬＥＤ回路のみを消灯し、もう１つのＬＥＤ回路は点灯したままにすると、誘導灯表示板８３８が（少し暗くなるものの）発光するため、使用者が故障に気づかない可能性があるからである。電源装置１００は、故障したＬＥＤ回路だけでなく、もう１つのＬＥＤ回路も消灯することにより、使用者にＬＥＤ回路の故障を確実に認知させる。
一方、反対側のパネルユニット８３０が備えるＬＥＤ回路（この例では、ＬＥＤ回路２３０及びＬＥＤ回路２４０）は、点灯を続ける。これにより、どちらのパネルユニット８３０が備えるＬＥＤ回路が故障したかを、使用者に認知させる。
【００１５】
電源装置１００は、可変直流電源Ｅ７１、カレントミラー回路１１０、スイッチング素子ＳＷ６１、スイッチング素子ＳＷ６２、可変抵抗器ＶＲ７２、制御回路１５０を有する。
【００１６】
可変直流電源Ｅ７１（直流電源回路）は、通常時には商用電源から、停電時には充電池から電力の供給を受けて、ＬＥＤ回路２１０〜ＬＥＤ回路２４０に印加する直流電圧を生成する。
可変直流電源Ｅ７１の正電圧側端子は、配線ａ０により、ＬＥＤ回路２１０〜２４０のアノード側に接続している。可変直流電源Ｅ７１の負電圧側端子は、接地されている。
可変直流電源Ｅ７１は、配線ｄ０の電位（すなわち、可変抵抗器ＶＲ７２の両端電圧）が一定になるように、生成する直流電圧の電圧値を調整する。すなわち、可変直流電源Ｅ７１は、配線ｄ０の電位があらかじめ定めた電位より低い場合には生成する直流電圧の電圧値を上げ、配線ｄ０の電位があらかじめ定めた電位より高い場合には生成する直流電圧の電圧値を下げることにより、配線ｄ０の電位が一定になるようにする。
【００１７】
カレントミラー回路１１０は、トランジスタＱ１１、トランジスタＱ１２、抵抗器Ｒ１３、抵抗器Ｒ１４、トランジスタＱ２１、トランジスタＱ２２、抵抗器Ｒ２３、抵抗器Ｒ２４、ダイオードＤ２５を有する。
トランジスタＱ１１、トランジスタＱ１２、トランジスタＱ２１、トランジスタＱ２２は、同一の特性を有するＮＰＮ型バイポーラトランジスタである。
【００１８】
トランジスタＱ１１（第一のトランジスタ素子）のコレクタ端子は、ＬＥＤ回路２１０（第一の負荷回路）のカソード側と、配線ｃ１（第一負荷接続部）を介して接続している。
トランジスタＱ１２（第三のトランジスタ素子）のコレクタ端子は、ＬＥＤ回路２２０（第三の負荷回路）のカソード側と、配線ｃ２（第三負荷接続部）を介して接続している。
トランジスタＱ２１（第二のトランジスタ素子）のコレクタ端子は、ＬＥＤ回路２３０（第二の負荷回路）のカソード側と、配線ｃ３（第二負荷接続部）を介して接続している。
トランジスタＱ２２（第三のトランジスタ素子もしくは第六のトランジスタ素子）のコレクタ端子は、ＬＥＤ回路２４０（第三の負荷回路もしくは第四の負荷回路）のカソード側と、配線ｃ４（第三負荷接続部もしくは第四負荷接続部）を介して接続している。
【００１９】
トランジスタＱ１１、トランジスタＱ１２、トランジスタＱ２１、トランジスタＱ２２の各ベース端子は、配線ｂ０（共通入力接続部）を介して互いに接続している。したがって、トランジスタＱ１１、トランジスタＱ１２、トランジスタＱ２１、トランジスタＱ２２のベース電位は、すべて同電位となる。
【００２０】
また、配線ｂ０と配線ｃ１とは、配線（第一入力接続部１１１）により接続している。したがって、トランジスタＱ１１のコレクタ電位は、トランジスタＱ１１、トランジスタＱ１２、トランジスタＱ２１、トランジスタＱ２２のベース電位と同電位になる。
配線ｂ０と配線ｃ３とは、ダイオードＤ２５（第二入力接続部１１２）により接続している。ダイオードＤ２５は、アノード端子を配線ｃ３の側に、カソード端子を配線ｂ０の側に接続している。
【００２１】
トランジスタＱ１１のエミッタ端子は、配線ｅ１を介して抵抗器Ｒ１３の一端に接続している。
トランジスタＱ１２のエミッタ端子は、配線ｅ２を介して抵抗器Ｒ１４の一端に接続している。
抵抗器Ｒ１３の他端と抵抗器Ｒ１４の他端とは、互いに接続し、スイッチング素子ＳＷ６１の一端に接続している。
トランジスタＱ２１のエミッタ端子は、配線ｅ３を介して抵抗器Ｒ２３の一端に接続している。
トランジスタＱ２２のエミッタ端子は、配線ｅ４を介して抵抗器Ｒ２４の一端に接続している。
抵抗器Ｒ２３の他端と抵抗器Ｒ２４の他端とは、互いに接続し、スイッチング素子ＳＷ６２の一端に接続している。
【００２２】
スイッチング素子ＳＷ６１の他端とスイッチング素子ＳＷ６２の他端とは、配線ｄ０により互いに接続し、可変抵抗器ＶＲ７２の一端に接続している。
可変抵抗器ＶＲ７２の他端は、接地されている。
【００２３】
抵抗器Ｒ１３、抵抗器Ｒ１４、抵抗器Ｒ２３、抵抗器Ｒ２４の抵抗値は、すべて同一である。
可変抵抗器ＶＲ７２（電流検出部）は、制御回路１５０からの信号により、抵抗値を変化する抵抗器である。可変抵抗器ＶＲ７２は、例えば、同じ抵抗値をもつ２つの抵抗器を並列に接続し、一方の抵抗器と直列にスイッチング素子を接続したものである。制御回路１５０からの信号によりスイッチング素子がオンになっている場合、可変抵抗器ＶＲ７２は２つの抵抗器の並列回路となるので、合成抵抗値は、１つの抵抗器の抵抗値の半分である。制御回路１５０からの信号によりスイッチング素子がオフになると、可変抵抗器ＶＲ７２の抵抗値は１つの抵抗器の抵抗値なので、スイッチング素子がオンの場合の２倍になる。
【００２４】
トランジスタＱ１１、トランジスタＱ１２、トランジスタＱ２１、トランジスタＱ２２は、同じ特性のトランジスタなので、ベース−エミッタ間のＰＮ接合に発生する順方向降下電圧が等しい。トランジスタＱ１１、トランジスタＱ１２、トランジスタＱ２１、トランジスタＱ２２のベース電位は同電位なので、エミッタ電位も同電位となる。このため、トランジスタＱ１１、トランジスタＱ１２、トランジスタＱ２１、トランジスタＱ２２のエミッタ電流は、等しくなる。
【００２５】
スイッチング素子ＳＷ６１及びスイッチング素子ＳＷ６２は、制御回路１５０からの信号によりオンオフする。正常時において、制御回路１５０は、スイッチング素子ＳＷ６１及びスイッチング素子ＳＷ６２をともにオンにしておく。
【００２６】
制御回路１５０は、配線ｃ１、配線ｃ２、配線ｃ３、配線ｃ４の電位を測定することにより、ＬＥＤ回路２１０〜２４０の異常を検出する。
制御回路１５０（第一異常検出部）は、ＬＥＤ回路２１０またはＬＥＤ回路２２０の異常を検出した場合、スイッチング素子ＳＷ６１（第一スイッチング素子）をオフにする。また、制御回路１５０（第二異常検出部）は、ＬＥＤ回路２３０またはＬＥＤ回路２４０の異常を検出した場合、スイッチング素子ＳＷ６２（第二スイッチング素子）をオフにする。これにより、異常を検出したＬＥＤ回路と同じパネルユニット８３０が備えるすべてのＬＥＤ回路に対する直流電圧の供給を遮断する。
【００２７】
また、制御回路１５０は、スイッチング素子ＳＷ６１またはスイッチング素子ＳＷ６２をオフにした場合に、可変抵抗器ＶＲ７２の抵抗値を変化させ、２倍にする。１つのＬＥＤ回路に流せる電流は決まっている（例えば、２０ｍＡ）ので、４つのＬＥＤ回路２１０〜２４０すべてを点灯する場合と比較して、２つを消灯し２つだけを点灯する場合、可変抵抗器ＶＲ７２に流れる電流は半分になる。したがって、可変抵抗器ＶＲ７２の抵抗値を２倍にすれば、配線ｄ０の電位は変わらない。このため、４灯点灯時も２灯点灯時も、配線ｄ０の電位が同じ値になるように、可変直流電源Ｅ７１が生成する直流電圧の電圧値を調整すれば、１つのＬＥＤ回路に流れる電流は等しくなる。
【００２８】
次に、動作について説明する。
【００２９】
図５は、この実施の形態における電源装置１００の各部の電位を示すグラフ図（正常時）である。
ここで、ＶＬＥＤ１は、ＬＥＤ回路２１０の両端電圧である。ＶＬＥＤ２は、ＬＥＤ回路２２０の両端電圧である。ＶＬＥＤ３は、ＬＥＤ回路２３０の両端電圧である。ＶＬＥＤ４は、ＬＥＤ回路２４０の両端電圧である。ＶＤ２は、ダイオードＤ２５の両端電圧である。ＶＣＥ１は、トランジスタＱ１１のコレクタ−エミッタ間電圧である。ＶＢＥ１は、トランジスタＱ１１のベース−エミッタ間電圧である。ＶＣＥ２は、トランジスタＱ１２のコレクタ−エミッタ間電圧である。ＶＢＥ２は、トランジスタＱ１２のベース−エミッタ間電圧である。ＶＣＥ３は、トランジスタＱ２１のコレクタ−エミッタ間電圧である。ＶＢＥ３は、トランジスタＱ２１のベース−エミッタ間電圧である。ＶＣＥ４は、トランジスタＱ２２のコレクタ−エミッタ間電圧である。ＶＢＥ４は、トランジスタＱ２２のベース−エミッタ間電圧である。ＶＲ１は、抵抗器Ｒ１３の両端電圧である。ＶＲ２は、抵抗器Ｒ１４の両端電圧である。ＶＲ３は、抵抗器Ｒ２３の両端電圧である。ＶＲ４は、抵抗器Ｒ２４の両端電圧である。ＶＲ０は、可変抵抗器ＶＲ７２の両端電圧である。
【００３０】
発光ダイオード素子の順方向降下電圧にはバラツキがある。このバラツキは、特に、発光ダイオード素子が白色発光ダイオードである場合に大きい。
例えば、１つの発光ダイオード素子の順方向降下電圧の定格値が３．０Ｖ〜３．５Ｖである場合、これを４つ直列に接続すると、４つの発光ダイオード素子の順方向降下電圧の合計は、１２．０Ｖ〜１４．０Ｖの間となる。実際には、順方向降下電圧の小さい発光ダイオード素子ばかりを接続したり、順方向降下電圧の大きな発光ダイオード素子ばかりを接続したりすることは起こりにくく、順方向降下電圧の小さな発光ダイオード素子と順方向降下電圧の大きな発光ダイオード素子とを混合して接続することになるので、順方向降下電圧のバラツキは打ち消され、０．５Ｖ程度のバラツキになる。
このため、ＶＬＥＤ１と、ＶＬＥＤ２と、ＶＬＥＤ３と、ＶＬＥＤ４とは、同じ値とならず、０．５Ｖの範囲内でばらつく。
【００３１】
トランジスタＱ１１、トランジスタＱ１２、トランジスタＱ２１、トランジスタＱ２２は、同じ特性のトランジスタ素子なので、ＶＢＥ１とＶＢＥ２とＶＢＥ３とＶＢＥ４とは等しい。
したがって、配線ｅ１と配線ｅ２と配線ｅ３と配線ｅ４とは同電位となり、抵抗器Ｒ１３の両端電圧ＶＲ１と、抵抗器Ｒ１４の両端電圧ＶＲ２と、抵抗器Ｒ２３の両端電圧ＶＲ３と、抵抗器Ｒ２４の両端電圧ＶＲ４とが等しいので、トランジスタＱ１１のエミッタ電流ＩＥ１と、トランジスタＱ１２のエミッタ電流ＩＥ２とトランジスタＱ２１のエミッタ電流ＩＥ３と、トランジスタＱ２２のエミッタ電流ＩＥ４とが等しくなる。
【００３２】
この例において、ＶＬＥＤ２はＶＬＥＤ１より大きい。上述したように、ＶＬＥＤ２とＶＬＥＤ１との差は、０．５Ｖ以内である。トランジスタＱ１２のベース−エミッタ間電圧ＶＢＥ２は、例えば０．７Ｖ程度なので、トランジスタＱ１２のコレクタ−エミッタ間電圧ＶＣＥ２は０．２Ｖ以上となり、トランジスタＱ１２は正常に動作する。
【００３３】
また、この例において、ＶＬＥＤ３はＶＬＥＤ１より小さい。同様に、ＶＬＥＤ３とＶＬＥＤ１との差は、０．５Ｖ以内である。したがって、ダイオードＤ２５の両端電圧ＶＤ２は０．５Ｖ以内となる。ダイオードＤ２５の順方向降下電圧は、例えば０．７Ｖ程度なので、ダイオードＤ２５はオフとなる。
したがって、トランジスタＱ１１のベース電流ＩＢ１、トランジスタＱ１２のベース電流ＩＢ２、トランジスタＱ２１のベース電流ＩＢ３、トランジスタＱ２２のベース電流ＩＢ４は、配線ｃ１を介して供給される。
【００３４】
すなわち、ＬＥＤ回路２２０を流れる電流Ｉ２と、ＬＥＤ回路２３０を流れる電流Ｉ３と、ＬＥＤ回路２４０を流れる電流Ｉ４とは等しくなる。ＬＥＤ回路２１０を流れる電流Ｉ１は、それよりもベース電流（ＩＢ１＋ＩＢ２＋ＩＢ３＋ＩＢ４＝ＩＢ×４）の分多くなるが、トランジスタＱ１１、トランジスタＱ１２、トランジスタＱ２１、トランジスタＱ２２のｈＦＥが十分大きいと仮定すると、その差は無視できるので、ＬＥＤ回路２１０を流れる電流Ｉ１も、ＬＥＤ回路２２０を流れる電流Ｉ２、ＬＥＤ回路２３０を流れる電流Ｉ３、ＬＥＤ回路２４０を流れる電流Ｉ４とほぼ等しくなる。
【００３５】
次に、ＬＥＤ回路２２０に異常が発生して回路が切断した場合（オープン故障）について説明する。
【００３６】
図６は、この実施の形態における電源装置１００の各部の電位を示すグラフ図（ＬＥＤ回路２２０切断時）である。
ＬＥＤ回路２２０が切断したため、トランジスタＱ１２のコレクタ端子が開放状態となり、トランジスタＱ１２のコレクタ−エミッタ間電圧ＶＣＥ２がほぼ０になる。
制御回路１５０は、配線ｃ２の電位が正常時より下がったことを検出して、ＬＥＤ回路２２０の異常を検出する。制御回路１５０は、スイッチング素子ＳＷ６１をオフにし、可変抵抗器ＶＲ７２の抵抗値を２倍にする。
【００３７】
スイッチング素子ＳＷ６１がオフになったことにより、トランジスタＱ１１のエミッタ電流ＩＥ１及びトランジスタＱ１２のエミッタ電流ＩＥ２は０になる。これにより、ＬＥＤ回路２１０を流れる電流は、トランジスタＱ２１のベース電流ＩＢ３とトランジスタＱ２２のベース電流ＩＢ４との分だけとなる。したがって、ＬＥＤ回路２１０の発光ダイオード素子は完全には消灯しないが、見た目には、ほとんど消灯している状態となる。
【００３８】
ＬＥＤ回路２３０やＬＥＤ回路２４０に異常が発生して回路が切断した場合の動作も同様である。
【００３９】
なお、ＬＥＤ回路２２０またはＬＥＤ回路２３０またはＬＥＤ回路２４０が切断した場合に、配線ｃ２、配線ｃ３、配線ｃ４の電位が不安定になることを防ぐため、それぞれにプルダウン抵抗を接続してもよい。
【００４０】
次に、ＬＥＤ回路２１０に異常が発生して回路が切断した場合について説明する。
【００４１】
図７は、この実施の形態における電源装置１００の各部の電位を示すグラフ図（ＬＥＤ回路２１０切断時）である。
ＬＥＤ回路２１０が切断したことにより、ベース電流が供給されなくなるので、トランジスタＱ１１、トランジスタＱ１２、トランジスタＱ２１、トランジスタＱ２２はオフになる。
すると、配線ｄ０の電位が下がるので、可変直流電源Ｅ７１は、生成する直流電圧の電圧値を上げ、配線ａ０の電位が高くなる。
配線ａ０と配線ｂ０との電位差が、ＬＥＤ回路２３０の順方向降下電圧とダイオードＤ２５の順方向降下電圧の合計値に達すると、ダイオードＤ２５がオンになり、ダイオードＤ２５を介してベース電流が供給されるので、トランジスタＱ１１、トランジスタＱ１２、トランジスタＱ２１、トランジスタＱ２２は再びオンになる。
その結果、配線ｄ０の電位が回復し、可変直流電源Ｅ７１は、生成する直流電圧の電圧値をそのまま保った状態で安定する。
【００４２】
このとき、配線ｃ１は配線ｂ０と接続しているので、ＬＥＤ回路２１０が切断しても、配線ｃ１の電位は配線ｂ０と同電位のままである。したがって、制御回路１５０は、配線ｃ１の電位からＬＥＤ回路２１０の異常を検出することはできない。
しかし、配線ｃ２の電位が、配線ａ０の電位の上昇分と同じだけ上昇するので、配線ｃ１と配線ｃ２との電位差が変化する。制御回路１５０は、配線ｃ１と配線ｃ２との電位差が正常時と比較して変化したことを検出して、ＬＥＤ回路２１０の異常を検出する。
制御回路１５０は、スイッチング素子ＳＷ６１をオフにし、可変抵抗器ＶＲ７２の抵抗値を２倍にする。
スイッチング素子ＳＷ６１がオフになったことにより、ＬＥＤ回路２２０を流れる電流Ｉ２が０になり、ＬＥＤ回路２２０の発光ダイオード素子が消灯する。
【００４３】
このように、制御回路１５０は、配線ｃ１と配線ｃ２との電位差を、正常時の電位差と比較することにより、ＬＥＤ回路２１０の異常を検出する。
ただし、ＬＥＤ回路２２０に異常がある場合も配線ｃ１と配線ｃ２との電位差が変化するので、この方式では、ＬＥＤ回路２１０に異常があるのかＬＥＤ回路２２０に異常があるのかを区別できない可能性がある。
しかし、ＬＥＤ回路２１０に異常がある場合もＬＥＤ回路２２０に異常がある場合も、スイッチング素子ＳＷ６１をオフにするという動作は変わらないので、どちらに異常があるかを区別する必要はない。
【００４４】
また、配線ｃ３の電位と配線ｃ４の電位は、ＬＥＤ回路２１０が切断したことにより変化する。しかし、配線ｃ３と配線ｃ４との電位差は正常時と同じである。したがって、制御回路１５０は、配線ｃ３と配線ｃ４との電位差を、正常時の電位差と比較することにより、ＬＥＤ回路２３０及びＬＥＤ回路２４０には異常がないことも検出できる。
【００４５】
この実施の形態における電源装置１００によれば、正常時及び第二の負荷回路（ＬＥＤ回路２３０）または第三の負荷回路（ＬＥＤ回路２２０またはＬＥＤ回路２４０）が切断した場合には、第一の負荷回路（ＬＥＤ回路２１０）を通った電流が第一入力接続部１１１（配線）を介してベース電流として供給され、第一のトランジスタ素子（トランジスタＱ１１）及び第二のトランジスタ素子（トランジスタＱ２１）及び第三のトランジスタ素子（トランジスタＱ１２またはトランジスタＱ２２）を駆動し、第一の負荷回路（ＬＥＤ回路２１０）が切断した場合には、第二の負荷回路（ＬＥＤ回路２３０）を通った電流が第二入力接続部１１２（ダイオードＤ２５）を介してベース電流として供給され、第一のトランジスタ素子（トランジスタＱ１１）及び第二のトランジスタ素子（トランジスタＱ２１）及び第三のトランジスタ素子（トランジスタＱ１２またはトランジスタＱ２２）を駆動するので、いずれの負荷回路が故障した場合であっても、カレントミラー回路１１０が動作し、故障した負荷回路以外の負荷回路の電流をほぼ均等にすることができるという効果を奏する。
【００４６】
この実施の形態における電源装置１００によれば、負荷回路の両端電圧のバラツキにより、第二負荷接続部（配線ｃ３）の電位が第一負荷接続部（配線ｃ１）の電位より高い場合であっても、第二負荷接続部（配線ｃ３）と第一負荷接続部（配線ｃ１）との電位差がダイオード素子（ダイオードＤ２５）の順方向降下電圧以下であれば、ダイオード素子（ダイオードＤ２５）がオフになるので、カレントミラー回路１１０は、正常時において、従来のカレントミラー回路と同様の動作をする。また、第一の負荷回路（ＬＥＤ回路２１０）が切断した場合には、ダイオード素子（ダイオードＤ２５）がオンになり、ベース電流を供給できるという効果を奏する。
【００４７】
なお、この実施の形態では、ＮＰＮ型バイポーラトランジスタを用いる場合について説明したが、従来のカレントミラー回路と同様、ＰＮＰ型バイポーラトランジスタを用いてもカレントミラー回路１１０を実現できる。その場合の電源装置１００の構成は、この実施の形態における電源装置１００の説明から明らかなので、ここでは説明を省略する。
【００４８】
これにより、この実施の形態で説明した電源装置１００と同様の効果を奏することができる。
【００４９】
この実施の形態における電源装置１００によれば、第一異常検出部（制御回路１５０）がＬＥＤ回路２１０の異常を検出した場合に、ＬＥＤ回路２１０に対する直流電圧の供給を遮断するので、異常な電流が流れるのを防ぐことができるという効果を奏する。
【００５０】
この実施の形態における電源装置１００によれば、第二異常検出部（制御回路１５０）がＬＥＤ回路２３０の異常を検出した場合に、ＬＥＤ回路２３０に対する直流電圧の供給を遮断するので、異常な電流が流れるのを防ぐことができるという効果を奏する。
【００５１】
この実施の形態における電源装置１００によれば、第一の負荷回路（ＬＥＤ回路２１０）または第三の負荷回路（ＬＥＤ回路２２０）に異常が発生した場合に、第一の負荷回路（ＬＥＤ回路２１０）及び第三の負荷回路（ＬＥＤ回路２２０）に対する直流電圧の供給を遮断するので、第一の負荷回路（ＬＥＤ回路２１０）の異常と第三の負荷回路（ＬＥＤ回路２２０）の異常とを必ずしも明確に判別する必要がなく、異常検出が容易であるという効果を奏する。
【００５２】
この実施の形態における電源装置１００によれば、第一の負荷回路（ＬＥＤ回路２１０）及び第三の負荷回路（ＬＥＤ回路２２０）のいずれかに異常が発生した場合に、容易に異常を検出できるという効果を奏する。
【００５３】
この実施の形態における電源装置１００によれば、第二の負荷回路（ＬＥＤ回路２３０）または第四の負荷回路（ＬＥＤ回路２４０）に異常が発生した場合に、第二の負荷回路（ＬＥＤ回路２３０）及び第四の負荷回路（ＬＥＤ回路２４０）に対する直流電圧の供給を遮断するので、第二の負荷回路（ＬＥＤ回路２３０）の異常と第四の負荷回路（ＬＥＤ回路２４０）の異常とを必ずしも明確に判別する必要がなく、異常検出が容易であるという効果を奏する。
【００５４】
この実施の形態における電源装置１００によれば、第二の負荷回路（ＬＥＤ回路２３０）及び第四の負荷回路（ＬＥＤ回路２４０）のいずれかに異常が発生した場合に、容易に異常を検出できるという効果を奏する。
【００５５】
この実施の形態における電源装置１００によれば、第一の負荷回路（ＬＥＤ回路２１０）及び第二の負荷回路（ＬＥＤ回路２３０）及び第三の負荷回路（ＬＥＤ回路２２０またはＬＥＤ回路２４０）に流れる電流の総和を一定にしたうえで、第一の負荷回路（ＬＥＤ回路２１０）及び第二の負荷回路（ＬＥＤ回路２３０）及び第三の負荷回路（ＬＥＤ回路２２０またはＬＥＤ回路２４０）に流れる電流をほぼ均一にするので、第一の負荷回路（ＬＥＤ回路２１０）及び第二の負荷回路（ＬＥＤ回路２３０）及び第三の負荷回路（ＬＥＤ回路２２０またはＬＥＤ回路２４０）それぞれに流れる電流を所定の値とすることができるという効果を奏する。
【００５６】
この実施の形態における電源装置１００によれば、異常検出により、第一スイッチング素子（スイッチング素子ＳＷ６１）または第二スイッチング素子（スイッチング素子ＳＷ６２）がオフになり、流したい電流の総和が変化した場合に、電流検出回路（可変抵抗器ＶＲ７２）の抵抗値が変化するので、直流電源（可変直流電源Ｅ７１）が目標とする電源検出回路の両端電圧の目標値を変える必要がなく、直流電源（可変直流電源Ｅ７１）の構成を簡単にすることができるという効果を奏する。
【００５７】
この実施の形態における発光ダイオード点灯装置（誘導灯装置８００）によれば、第一発光ダイオード回路（ＬＥＤ回路２１０）と第二発光ダイオード回路（ＬＥＤ回路２３０）と第三発光ダイオード回路（ＬＥＤ回路２２０またはＬＥＤ回路２４０）とのいずれかが故障した場合であっても、故障した発光ダイオード回路以外の発光ダイオード回路に流れる電流をほぼ均等にすることができるので、発光ダイオード素子の輝度をほぼ均一にすることができるという効果を奏する。
【００５８】
この実施の形態における誘導灯装置８００によれば、第一発光ダイオード回路（ＬＥＤ回路２１０）または第三発光ダイオード回路（ＬＥＤ回路２２０）に異常が生じた場合に、第一発光ダイオード回路（ＬＥＤ回路２１０）及び第三発光ダイオード回路（ＬＥＤ回路２２０）に対する直流電圧の供給を遮断するので、第一の誘導灯表示板８３８が暗くなり、発光ダイオード回路の故障を使用者に確実に認知させることができるという効果を奏する。
この実施の形態における誘導灯装置８００によれば、第二発光ダイオード回路（ＬＥＤ回路２３０）または第四発光ダイオード回路（ＬＥＤ回路２４０）に異常が生じた場合に、第二発光ダイオード回路（ＬＥＤ回路２３０）及び第四発光ダイオード回路（ＬＥＤ回路２４０）に対する直流電圧の供給を遮断するので、第二の誘導灯表示板８３８が暗くなり、発光ダイオード回路の故障を使用者に確実に認知させることができるという効果を奏する。
【００５９】
なお、この例では、コレクタ端子を接続した配線（負荷接続部）と、ベース端子を接続した配線（共通入力接続部）との間を接続したトランジスタ素子は、トランジスタＱ１１及びトランジスタＱ２１の２つであるが、３以上であってもよい。
その場合において、３番目のトランジスタ素子のコレクタ−ベース間は、２つのダイオード素子の直列回路により接続するなど、ダイオード素子の数を順に増やしていく。
【００６０】
また、この例では、１つのＬＥＤ回路に異常が発生した場合に、同じパネルユニット８３０に含まれる２つのＬＥＤ回路を同時に消灯するため、２つのＬＥＤ回路に対応してスイッチング素子を設けているが、１つのスイッチング素子が３以上のＬＥＤ回路に対応していてもよいし、１つのＬＥＤ回路ごとにスイッチング素子を設けてもよい。
【００６１】
実施の形態２．
実施の形態２について、図８〜図１０を用いて説明する。
この実施の形態における誘導灯装置８００の外観は、実施の形態１で説明したものと同様なので、ここでは説明を省略する。
【００６２】
図８は、この実施の形態における誘導灯装置８００の電気回路の構成を示す電気回路図である。
なお、実施の形態１で説明した誘導灯装置８００と共通する部分については、同一の符号を付し、ここでは説明を省略する。
【００６３】
カレントミラー回路１１０は、更に、ダイオードＤ１５、ダイオードＤ２６を有する。
ダイオードＤ１５（第一入力接続部１１１）は、配線ｃ１（第一負荷接続部）と配線ｂ０（共通入力接続部）とを接続する。ダイオードＤ１５のアノード端子は配線ｃ１の側に、カソード端子は配線ｂ０の側に接続している。
ダイオードＤ２５及びダイオードＤ２６（第二入力接続部１１２）は、直列に接続し、配線ｃ３（第二負荷接続部）と配線ｂ０とを接続する。ダイオードＤ２５及びダイオードＤ２６のアノード端子は配線ｃ３の側に、カソード端子は配線ｂ０の側に接続している。
【００６４】
図９は、この実施の形態における電源装置１００の各部の電位を示すグラフ図（正常時）である。
ここで、ＶＤ１は、ダイオードＤ１５の両端電圧である。ＶＤ２は、ダイオードＤ２５の両端電圧とダイオードＤ２６の両端電圧との合計である。それ以外の符号は、実施の形態１で用いたものと同様である。
【００６５】
ＶＤ１がダイオードＤ１５の順方向降下電圧（例えば０．７Ｖ）以上であれば、ダイオードＤ１５がオンになる。また、ＶＤ２がダイオードＤ２５の順方向降下電圧とダイオードＤ２６の順方向降下電圧との合計（例えば１．４Ｖ）以上であれば、ダイオードＤ２５及びダイオードＤ２６がオンになる。
【００６６】
まず、ＶＬＥＤ１よりＶＬＥＤ３が大きい場合、あるいは、ＶＬＥＤ１よりＶＬＥＤ３が小さく、ＶＬＥＤ１とＶＬＥＤ３との差が、ダイオードＤ２５及びダイオードＤ２６の順方向降下電圧の合計とダイオードＤ１５の順方向降下電圧との差より小さい場合について説明する。
【００６７】
可変直流電源Ｅ７１が生成する直流電圧の電圧値が低い場合、ダイオードＤ１５と、ダイオードＤ２５及びダイオードＤ２６とは共にオフなので、ベース電流が供給されず、トランジスタＱ１１、トランジスタＱ１２、トランジスタＱ２１、トランジスタＱ２２はいずれもオフになる。このため、可変抵抗器ＶＲ７２に電流が流れず、配線ｄ０の電位が低いので、可変直流電源Ｅ７１は、生成する直流電圧の電圧値を上げる。
【００６８】
ＶＤ１がダイオードＤ１５の順方向降下電圧に達すると、ダイオードＤ１５がオンになるので、ベース電流が供給され、トランジスタＱ１１、トランジスタＱ１２、トランジスタＱ２１、トランジスタＱ２２がオンになる。これにより、配線ｄ０の電位が上昇し、所定の電位になるところで、可変直流電源Ｅ７１が生成する直流電圧の電圧値が安定する。
【００６９】
このとき、ＶＤ２は、ダイオードＤ２５及びダイオードＤ２６の順方向降下電圧の合計よりも低いので、ダイオードＤ２５及びダイオードＤ２６はオフのままである。したがって、トランジスタＱ１１、トランジスタＱ１２、トランジスタＱ２１、トランジスタＱ２２のベース電流は、ＬＥＤ回路２１０を通り、ダイオードＤ１５を介して供給される。
【００７０】
実施の形態１で説明した場合と同様、ＶＬＥＤ２がＶＬＥＤ１より大きいものとする。
トランジスタＱ１２が正常に動作するためには、コレクタ−エミッタ間の電位差ＶＣＥ２が正であることが必要である。そのためには、ＶＬＥＤ２とＶＬＥＤ１との差が、ＶＢＥ２（例えば０．７Ｖ）とＶＤ１（例えば０．７Ｖ）との合計（例えば１．４Ｖ）よりも小さければよい。
【００７１】
すなわち、実施の形態１と比較して、ＬＥＤ回路２１０〜２４０の両端電圧のバラツキが大きい場合でも、カレントミラー回路１１０が正常に動作する。
【００７２】
次に、ＶＬＥＤ１よりＶＬＥＤ３が小さく、ＶＬＥＤ１とＶＬＥＤ３との差が、ダイオードＤ２５及びダイオードＤ２６の順方向降下電圧の合計とダイオードＤ１５の順方向降下電圧との差より大きい場合について説明する。
【００７３】
この場合、ダイオードＤ２５及びダイオードＤ２６のほうが、ダイオードＤ１５よりも先にオンになり、ベース電流の供給を始めるので、可変直流電源Ｅ７１が生成する直流電圧の電圧値の上昇が止まり、ダイオードＤ１５はオフのままになる。したがって、トランジスタＱ１１、トランジスタＱ１２、トランジスタＱ２１、トランジスタＱ２２のベース電流は、ＬＥＤ回路２３０を通り、ダイオードＤ２５及びダイオードＤ２６を介して供給される。
その結果、ＬＥＤ回路２３０を流れる電流Ｉ３が他のＬＥＤ回路を流れる電流Ｉ１、Ｉ２、Ｉ４よりベース電流分多い点を除けば、カレントミラー回路１１０は、ダイオードＤ１５がオンになった場合と同様に動作する。
【００７４】
すなわち、実施の形態１と比較して、ＬＥＤ回路２１０〜２４０の両端電圧のバラツキが大きい場合でも、カレントミラー回路１１０が正常に動作する。
【００７５】
次に、ＬＥＤ回路２１０に異常が発生して回路が切断した場合について説明する。
【００７６】
図１０は、この実施の形態における電源装置１００の各部の電位を示すグラフ図（ＬＥＤ回路２１０切断時）である。
ＬＥＤ回路２１０が切断したことにより、配線ｃ１の電位が下がる。実施の形態１と異なり、配線ｃ１と配線ｂ０との間にはダイオードＤ１５が接続されているので、配線ｃ１の電位は、トランジスタＱ１１のコレクタ−エミッタ間電圧ＶＣＥ１がほぼ０になるところまで下がり、ダイオードＤ１５の両端電圧ＶＤ１は負になる。
【００７７】
制御回路１５０は、配線ｃ１の電位が正常時より下がったことを検出して、ＬＥＤ回路２１０の異常を検出する。実施の形態１と異なり、配線ｃ２の電位と比較しなくても異常を検出できるので、ＬＥＤ回路２１０の異常とＬＥＤ回路２２０の異常とを容易に区別できる。
【００７８】
なお、ＬＥＤ回路２１０が切断した場合に、配線ｃ１の電位が不安定になることを防ぐため、プルダウン抵抗を接続してもよい。
【００７９】
この実施の形態における電源装置１００によれば、第一の負荷回路（ＬＥＤ回路２１０）及び第二の負荷回路（ＬＥＤ回路２３０）及び第三の負荷回路（ＬＥＤ回路２２０またはＬＥＤ回路２４０）の両端電圧のバラツキが大きい場合であっても、負荷回路を流れる電流をほぼ均等にすることができるという効果を奏する。
【００８０】
この実施の形態における電源装置１００によれば、第一の負荷回路（ＬＥＤ回路２１０）及び第二の負荷回路（ＬＥＤ回路２３０）及び第三の負荷回路（ＬＥＤ回路２２０またはＬＥＤ回路２４０）の両端電圧のバラツキが大きい場合であっても、負荷回路を流れる電流をほぼ均等にすることができるという効果を奏する。
【００８１】
この実施の形態における電源装置１００によれば、第一の負荷回路（ＬＥＤ回路２１０）及び第二の負荷回路（ＬＥＤ回路２３０）及び第三の負荷回路（ＬＥＤ回路２２０）及び第四の負荷回路（ＬＥＤ回路２４０）に異常が発生した場合に、容易に異常を検出でき、どの負荷回路に異常が発生したかを容易に区別できるという効果を奏する。
【００８２】
実施の形態３．
実施の形態３について、図１１を用いて説明する。
この実施の形態における誘導灯装置８００の外観は、実施の形態１で説明したものと同様なので、ここでは説明を省略する。
【００８３】
図１１は、この実施の形態における誘導灯装置８００の電気回路の構成を示す電気回路図である。
なお、実施の形態１で説明した誘導灯装置８００と共通する部分については、同一の符号を付し、ここでは説明を省略する。
【００８４】
カレントミラー回路１１０は、更に、トランジスタＱ１７、トランジスタＱ２７を有する。
トランジスタＱ１７（第一入力接続部１１１）は、配線ｃ１（第一負荷接続部）と配線ｂ０（共通入力接続部）とを接続する。トランジスタＱ１７（第四のトランジスタ素子）のベース端子は配線ｃ１の側に、エミッタ端子は配線ｂ０の側に接続している。また、トランジスタＱ１７のコレクタ端子は、可変直流電源Ｅ７１の正電圧端子に接続した配線ａ０に接続している。
【００８５】
トランジスタＱ２７及びダイオードＤ２５（第二入力接続部１１２）は、配線ｃ３（第二負荷接続部）と配線ｂ０（共通入力接続部）とを接続する。トランジスタＱ２７（第五のトランジスタ素子）のベース端子は配線ｃ３の側に、エミッタ端子は配線ｂ０の側に接続している。また、トランジスタＱ２７のコレクタ端子は、配線ａ０に接続している。ダイオードＤ２５のアノード端子は配線ｃ３の側に、カソード端子は配線ｂ０の側に接続している。トランジスタＱ２７とダイオードＤ２５とは直列の関係にある。この例では、トランジスタＱ２７のエミッタ端子とダイオードＤ２５のアノード端子とが接続しているが、トランジスタＱ２７とダイオードＤ２５との順番は逆でもよい。すなわち、ダイオードＤ２５のカソード端子とトランジスタＱ２７のベース端子とが接続し、ダイオードＤ２５のアノード端子が配線ｃ３に、トランジスタＱ２７のエミッタ端子が配線ｂ０に接続していてもよい。
【００８６】
トランジスタＱ１７及びトランジスタＱ２７は、ＮＰＮ型バイポーラトランジスタである。なお、トランジスタＱ１７の特性とトランジスタＱ２７の特性とは必ずしも同一でなくてもよい。
【００８７】
トランジスタＱ１７のベース−エミッタ間のＰＮ接合を、実施の形態２におけるダイオードＤ１５とし、トランジスタＱ２７のベース−エミッタ間のＰＮ接合を、実施の形態２におけるダイオードＤ２６と考えれば、電源装置１００の各部の電位は、実施の形態２で説明したものと同様であることがわかる。
【００８８】
また、実施の形態２では、ＬＥＤ回路２１０またはＬＥＤ回路２３０を流れる電流から、トランジスタＱ１１、トランジスタＱ１２、トランジスタＱ２１、トランジスタＱ２２のベース電流を取り出しているが、この実施の形態では、ＬＥＤ回路２１０またはＬＥＤ回路２３０を流れる電流から取り出した電流をトランジスタＱ１７またはトランジスタＱ２７のベース電流とし、トランジスタＱ１７またはトランジスタＱ２７が増幅したエミッタ電流を、トランジスタＱ１１、トランジスタＱ１２、トランジスタＱ２１、トランジスタＱ２２のベース電流とするので、ＬＥＤ回路２１０またはＬＥＤ回路２３０を流れる電流から取り出す電流は、トランジスタＱ１７またはトランジスタＱ２７のｈＦＥ分の１で済む。
【００８９】
したがって、トランジスタＱ１１、トランジスタＱ１２、トランジスタＱ２１、トランジスタＱ２２のｈＦＥがあまり大きくない場合であっても、ＬＥＤ回路２１０を流れる電流Ｉ１、ＬＥＤ回路２２０を流れる電流Ｉ２、ＬＥＤ回路２３０を流れる電流Ｉ３、ＬＥＤ回路２４０を流れる電流Ｉ４の差は、ごくわずかになる。
【００９０】
ここで、ＬＥＤ回路２２０に異常が発生して切断した場合について、更に詳しく説明する。
ＬＥＤ回路２２０の切断により、トランジスタＱ１２のコレクタ電流が０になる。
制御回路１５０が異常を検出してスイッチング素子ＳＷ６１をオフにすれば、トランジスタＱ１２のエミッタ電流も０となるが、ＬＥＤ回路２２０の切断から制御回路１５０がスイッチング素子ＳＷ６１をオフにするまでには多少のタイムラグがある。
【００９１】
ＬＥＤ回路２２０の切断からスイッチング素子ＳＷ６１がオフになるまでの間において、抵抗器Ｒ１４には、配線ｅ２と配線ｄ０との電位差に相当する電圧が印加されている。トランジスタＱ１２のベース−エミッタ間電圧ＶＢＥ２はＬＥＤ回路２２０が切断する前と変わらないので、抵抗器Ｒ１４の両端電圧も、ＬＥＤ回路２２０が切断する前と同じである。したがって、抵抗器Ｒ１４には、ＬＥＤ回路２２０が切断する前と同じ電流が流れる。
この電流は、トランジスタＱ１２のエミッタ電流であるが、トランジスタＱ１２のコレクタ電流が０なので、トランジスタＱ１２のベース電流と等しい。
【００９２】
実施の形態１または実施の形態２における電源装置１００は、トランジスタＱ１２のベース電流を、ＬＥＤ回路２１０またはＬＥＤ回路２３０を流れる電流から取り出しているので、この電流がＬＥＤ回路２１０またはＬＥＤ回路２３０を流れる。すなわち、スイッチング素子ＳＷ６１がオフになるまでの間、ＬＥＤ回路２１０またはＬＥＤ回路２３０に正常時の２倍の電流が流れることになるので、ＬＥＤ回路２１０またはＬＥＤ回路２３０が故障したり、寿命が短くなったりする可能性がある。
【００９３】
これに対して、この実施の形態における電源装置１００は、トランジスタＱ１２のベース電流を、ＬＥＤ回路２１０またはＬＥＤ回路２３０を流れる電流から取り出すのではなく、トランジスタＱ１７またはトランジスタＱ２７により増幅されたエミッタ電流により供給する。したがって、トランジスタＱ１７またはトランジスタＱ２７のベース電流の増加により、ＬＥＤ回路２１０やＬＥＤ回路２３０に流れる電流は増加するものの、その差はわずかであり、通常時とさほど変わらない。このため、ＬＥＤ回路２１０やＬＥＤ回路２３０が故障したり、寿命が短くなったりすることがない。
【００９４】
なお、ここではＬＥＤ回路２２０が切断した場合について説明したが、他のＬＥＤ回路２１０，２３０，２４０が切断した場合でも、同様のことが言える。
【００９５】
この実施の形態における電源装置１００によれば、ＬＥＤ回路２１０またはＬＥＤ回路２３０を流れる電流から取り出したベース電流を、トランジスタＱ１７またはトランジスタＱ２７が増幅し、トランジスタＱ１７またはトランジスタＱ２７のエミッタ電流を、トランジスタＱ１１及びトランジスタＱ１２及びトランジスタＱ２１及びトランジスタＱ２２のベース電流とするので、トランジスタＱ１１、トランジスタＱ１２、トランジスタＱ２１、トランジスタＱ２２のｈＦＥが小さくても、正常時において、ＬＥＤ回路２１０及びＬＥＤ回路２２０及びＬＥＤ回路２３０及びＬＥＤ回路２４０を流れる電流をほぼ均等にすることができるという効果を奏する。
また、ＬＥＤ回路２１０またはＬＥＤ回路２２０またはＬＥＤ回路２３０またはＬＥＤ回路２４０が切断した際に、ＬＥＤ回路２１０またはＬＥＤ回路２３０に異常電流が流れるのを防ぐことができるという効果を奏する。
【００９６】
なお、トランジスタＱ１７及びトランジスタＱ２７として、ＮＰＮ型バイポーラトランジスタを用いる場合について説明したが、トランジスタＱ１７及びトランジスタＱ２７は、Ｎチャネル電界圧効果トランジスタであってもよい。
その場合、トランジスタＱ１７のゲート端子を配線ｃ１の側に、ソース端子を配線ｂ０の側に、ドレイン端子を配線ａ０の側に接続する。また、トランジスタＱ２７のゲート端子を配線ｃ３の側に、ソース端子を配線ｂ０の側に、ドレイン端子を配線ａ０の側に接続する。
トランジスタＱ１７及びトランジスタＱ２７として電界効果トランジスタを用いる場合、ＭＯＳ−ＦＥＴ（絶縁型電界効果トランジスタ）を用いれば、ゲート電流が０になるのでＬＥＤ回路２１０〜２４０を流れる電流の差がほとんどなくなり、好ましい。また、エンハンスメント型のＦＥＴを用いるほうが、配線ｃ１及び配線ｃ３の電位が配線ｂ０の電位より高くなるので、好ましい。
【００９７】
また、トランジスタＱ１７及びトランジスタＱ２７として、ＰＮＰ型バイポーラトランジスタやＰチャネルＦＥＴを用いてもよい。
【００９８】
実施の形態４．
実施の形態４について、図１２〜図１５を用いて説明する。
この実施の形態における誘導灯装置８００の外観は、実施の形態１で説明したものと同様なので、ここでは説明を省略する。
【００９９】
図１２は、この実施の形態における誘導灯装置８００の電気回路の構成を示す電気回路図である。
なお、実施の形態１で説明した誘導灯装置８００と共通する部分については、同一の符号を付し、ここでは説明を省略する。
【０１００】
カレントミラー回路１１０は、更に、ダイオードＤ１５を有する。
ダイオードＤ１５（第一入力接続部１１１）は、実施の形態２と同様、配線ｃ１（第一負荷接続部）と配線ｂ０（共通入力接続部）とを接続する。ダイオードＤ１５のアノード端子は配線ｃ１の側に、カソード端子は配線ｂ０の側に接続している。
実施の形態２と異なり、配線ｃ３（第二負荷接続部）と配線ｂ０（共通入力接続部）との間は、複数のダイオード素子の直列回路ではなく、ダイオードＤ２５（第二入力接続部１１２）１つだけで接続している。
【０１０１】
図１３は、この実施の形態における電源装置１００の各部の電位を示すグラフ図（正常時）である。
ダイオードＤ１５の順方向降下電圧とダイオードＤ２５の順方向効果電圧とがほぼ等しいものとすると、ＬＥＤ回路２１０の両端電圧ＶＬＥＤ１よりＬＥＤ回路２３０の両端電圧ＶＬＥＤ３のほうが小さければ、ダイオードＤ２５の両端電圧が先に順方向効果電圧に達するので、ダイオードＤ２５がオンになり、ダイオードＤ１５はオフのままとなる。
逆に、ＬＥＤ回路２１０の両端電圧ＶＬＥＤ１よりＬＥＤ回路２３０の両端電圧ＶＬＥＤ３のほうが大きければ、ダイオードＤ１５がオンになり、ダイオードＤ２５はオフのままとなる。
【０１０２】
いずれの場合であっても、先にオンになったほうのダイオード素子を通して、トランジスタＱ１１、トランジスタＱ１２、トランジスタＱ２１、トランジスタＱ２２にベース電流が供給され、トランジスタＱ１１、トランジスタＱ１２、トランジスタＱ２１、トランジスタＱ２２がオンになり、カレントミラー回路１１０が動作する。
【０１０３】
すなわち、実施の形態１〜実施の形態３では、配線ｃ１と配線ｂ０とを接続する第一入力接続部１１１の構成と、配線ｃ３と配線ｂ０とを接続する第二入力接続部１１２の構成との間に差異を設けることにより、トランジスタＱ１１、トランジスタＱ１２、トランジスタＱ２１、トランジスタＱ２２のベース電流の供給源に優先順位を設けている。これに対して、この実施の形態では、第一入力接続部１１１の構成と第二入力接続部１１２の構成とを同一にして、ベース電流の供給源に優先順位を設けない。
【０１０４】
このように、ベース電流の供給源に優先順位を設けない構成としても、カレントミラー回路１１０は正常に動作する。したがって、実施の形態２と同様の効果を得ることができる。
【０１０５】
なお、第一入力接続部１１１及び第二入力接続部１１２をともに、直列接続した複数のダイオード素子とすることにより、第一入力接続部１１１の構成と第二入力接続部１１２の構成とを同一にしてもよい。そうすれば、ＬＥＤ回路２１０〜２４０の両端電圧のバラツキが更に大きい場合であっても、カレントミラー回路１１０が正常に動作する。
【０１０６】
図１４は、この実施の形態における誘導灯装置８００の電気回路の構成の別の例を示す電気回路図である。
このように、第一入力接続部１１１をトランジスタＱ１７により構成し、第二入力接続部１１２をトランジスタＱ２７により構成して、第一入力接続部１１１の構成と第二入力接続部１１２の構成とを同一にしてもよい。
これにより、実施の形態３と同様の効果を得ることができる。
【０１０７】
図１５は、この実施の形態における誘導灯装置８００の電気回路の構成の更に別の例を示す電気回路図である。
このように、第一入力接続部１１１をトランジスタＱ１７及びダイオードＤ１５により構成し、第二入力接続部１１２をトランジスタＱ２７及びダイオードＤ２５により構成して、第一入力接続部１１１の構成と第二入力接続部１１２の構成とを同一にしてもよい。
これにより、ＬＥＤ回路２１０〜２４０の両端電圧のバラツキが更に大きい場合であっても、カレントミラー回路１１０が正常に動作する。
【０１０８】
この実施の形態における電源装置１００によれば、実施の形態２や実施の形態３で説明した電源装置１００と同様の効果を奏することができる。
【０１０９】
なお、この例では、コレクタ端子を接続した配線（負荷接続部）と、ベース端子を接続した配線（共通入力接続部）との間を接続したトランジスタ素子は、トランジスタＱ１１及びトランジスタＱ２１の２つであるが、３以上であってもよい。
その場合において、３番目のトランジスタ素子のコレクタ−ベース間の接続は、第一入力接続部１１１及び第二入力接続部１１２と同一の構成であってもよいし、ダイオード素子の数を増やすなど、異なる構成であってもよい。
【０１１０】
実施の形態５．
実施の形態５について、図１６〜図１８を用いて説明する。
この実施の形態における誘導灯装置８００の外観は、実施の形態１で説明したものと同様なので、ここでは説明を省略する。
【０１１１】
図１６は、この実施の形態における誘導灯装置８００の電気回路の構成を示す電気回路図である。
なお、実施の形態１で説明した誘導灯装置８００と共通する部分については、同一の符号を付し、ここでは説明を省略する。
【０１１２】
カレントミラー回路１１０は、更に、トランジスタＱ１７、ダイオードＤ１５、ダイオードＤ１６、トランジスタＱ２７、ダイオードＤ２６を有する。
配線ｃ１（第一負荷接続部）と配線ｂ０（共通入力接続部）との間は、トランジスタＱ１７のベース−エミッタ、ダイオードＤ１５、ダイオードＤ１６の直列回路（第一入力接続部１１１）を介して接続している。トランジスタＱ１７、ダイオードＤ１５、ダイオードＤ１６の順序は、これと異なっていてもよい。また、ダイオード素子の数が３以上であってもよい。
配線ｃ３（第二負荷接続部）と配線ｂ０（共通入力接続部）との間は、トランジスタＱ２７のベース−エミッタ、ダイオードＤ２５、ダイオードＤ２６の直列回路（第二入力接続部１１２）を介して接続している。トランジスタＱ２７、ダイオードＤ２５、ダイオードＤ２６の順序は、これと異なっていてもよい。また、ダイオード素子の数が３以上であってもよい。
なお、第一入力接続部１１１の構成と第二入力接続部１１２の構成とが、異なる構成であってもよい。
【０１１３】
ここで、トランジスタＱ１７のベース−エミッタ間の順方向降下電圧と、ダイオードＤ１５の順方向降下電圧と、ダイオードＤ１６の順方向降下電圧を合計した第一入力接続部１１１の合計順方向降下電圧が、ＬＥＤ回路２１０を構成する発光ダイオード素子１つあたりの順方向降下電圧より大きくなるように構成する。
同様に、第二入力接続部１１２の合計順方向降下電圧も、ＬＥＤ回路２３０を構成する発光ダイオード素子１つあたりの順方向降下電圧より大きくなるように構成する。
順方向降下電圧が大きなダイオード素子を用いることにより、合計順方向降下電圧を大きくできるのであれば、第一入力接続部１１１及び第二入力接続部１１２が含むダイオード素子は、それぞれ１つだけであってもよい。
【０１１４】
次に、ＬＥＤ回路に異常が発生した場合について説明する。
発光ダイオード素子の異常には、上述した切断（オープン故障）のほか、短絡（ショート故障）の場合もある。すなわち、ＬＥＤ回路を構成する発光ダイオード素子の１つが短絡する場合である。
ＬＥＤ回路を構成する発光ダイオード素子の１つが異常により短絡した場合、その発光ダイオード素子における電圧降下が０になるので、ＬＥＤ回路全体の順方向降下電圧が低くなる。これは、通常の順方向降下電圧のバラツキとして想定される範囲を超えた変化として現れる。
【０１１５】
図１７は、この実施の形態における電源装置１００の各部の電位を示すグラフ図（ＬＥＤ回路２２０短絡異常時）である。
ここで、ＶＤ１は、第一入力接続部１１１の両端電圧、すなわち、トランジスタＱ１７のベース端子とダイオードＤ１６のカソード端子との電位差である。ＶＤ２は、第二入力接続部１１２の両端電圧、すなわち、トランジスタＱ２７のベース端子とダイオードＤ２６のカソード端子との電位差である。
【０１１６】
この例では、ＬＥＤ回路２１０の両端電圧ＶＬＥＤ１よりＬＥＤ回路２３０の両端電圧ＶＬＥＤ３より大きいので、先に、第一入力接続部１１１の両端電圧が第一入力接続部１１１の合計順方向降下電圧に達し、トランジスタＱ１７及びダイオードＤ１５及びダイオードＤ１６がオンになっている。
【０１１７】
ＬＥＤ回路２２０の短絡異常により、ＬＥＤ回路２２０の両端電圧ＶＬＥＤ２が小さくなる。これにより、トランジスタＱ１２のコレクタ−エミッタ間電圧ＶＣＥ２が大きくなるが、トランジスタＱ１２は飽和領域で動作しているので、ＬＥＤ回路２２０を流れる電流（トランジスタＱ１２のコレクタ電流）はほとんど変化しない。
制御回路１５０は、配線Ｃ２の電位が正常時より高くなったことを検出して、ＬＥＤ回路２２０の異常を検出する。
【０１１８】
図１８は、この実施の形態における電源装置１００の各部の電位を示すグラフ図（ＬＥＤ回路２１０短絡異常時）である。
ＬＥＤ回路２１０の短絡異常により、ＬＥＤ回路２１０の両端電圧ＶＬＥＤ１が小さくなる。これにより、第一入力接続部１１１の両端電圧ＶＤ１が大きくなり、トランジスタＱ１１、トランジスタＱ１２、トランジスタＱ２１、トランジスタＱ２２のベース電流が増大するので、配線ｄ０の電位が上がり、可変直流電源Ｅ７１が生成する直流電圧の電圧値を下げるので、結局、配線ｃ１の電位は、異常発生前と同じ電位で安定する。可変直流電源Ｅ７１の直流電圧の電圧値が下がった分、配線ｃ２、配線ｃ３、配線ｃ４の電位が下がる。
【０１１９】
ここで、第一入力接続部１１１の合計順方向降下電圧は、短絡した発光ダイオード素子の順方向電圧より大きいので、配線ｃ２、配線ｃ３、配線ｃ４の電位が下がっても、トランジスタＱ１２、トランジスタＱ２１、トランジスタＱ２２のコレクタ−エミッタ間電圧は正となり、カレントミラー回路１１０は正常に動作する。
制御回路１５０は、配線ｃ１と配線ｃ２との電位差が変化したことを検出して、ＬＥＤ回路２１０の異常を検出する。
【０１２０】
ＬＥＤ回路２１０の短絡異常を制御回路１５０が検出して、スイッチング素子ＳＷ６１をオフにすると、トランジスタＱ１１及びトランジスタＱ１２のエミッタ電流が０になり、ＬＥＤ回路２１０及びＬＥＤ回路２２０が消灯する。
しかし、配線ｃ１と配線ｂ０との電位差は変わらないので、ＬＥＤ回路２１０を流れるわずかな電流がトランジスタＱ１７のベース電流となり、トランジスタＱ１７により増幅されたエミッタ電流がトランジスタＱ２１及びトランジスタＱ２２のベース電流となる。
したがって、スイッチング素子ＳＷ６１がオフになったあとも、各部の電位は、図１８とほぼ同じ状態である。
【０１２１】
第一入力接続部１１１の合計順方向降下電圧が小さいと、ＬＥＤ回路２２０の短絡異常時はカレントミラー回路１１０が正常に動作するが、ＬＥＤ回路２１０の短絡異常時に、トランジスタＱ１２、トランジスタＱ２１、トランジスタＱ２２のコレクタ−エミッタ間電圧が負になり、カレントミラー回路１１０が正常に動作しなくなる可能性がある。
短絡異常により、カレントミラー回路１１０が正常に動作しなくなった場合、スイッチング素子ＳＷ６１をオフにしても各部の電位は変わらないので、カレントミラー回路１１０の動作は回復しない。
【０１２２】
これに対して、この実施の形態における電源装置１００は、第一入力接続部１１１の合計順方向降下電圧を、ＬＥＤ回路２１０を構成する発光ダイオード素子１つ当たりの順方向降下電圧より大きくしているので、ＬＥＤ回路２１０の短絡異常時にも、カレントミラー回路１１０が正常に動作する。
【０１２３】
第二入力接続部１１２についても同様のことが言える。すなわち、第二入力接続部１１２の合計順方向降下電圧を、ＬＥＤ回路２３０を構成する発光ダイオード素子１つ当たりの順方向降下電圧より大きくしておけば、ＬＥＤ回路２３０の短絡異常時にも、カレントミラー回路１１０が正常に動作する。
【０１２４】
この実施の形態における電源装置１００によれば、短絡異常などにより、ＬＥＤ回路２１０やＬＥＤ回路２３０の両端電圧が減少した場合でも、カレントミラー回路１１０が正常に動作するという効果を奏する。
【０１２５】
実施の形態６．
実施の形態６について、図１９〜図２２を用いて説明する。
この実施の形態における誘導灯装置８００の外観は、実施の形態１で説明したものと同様なので、ここでは説明を省略する。
【０１２６】
図１９は、この実施の形態における誘導灯装置８００の電気回路の構成を示す電気回路図である。
なお、実施の形態１で説明した誘導灯装置８００と共通する部分については、同一の符号を付し、ここでは説明を省略する。
【０１２７】
カレントミラー回路１１０は、更に、トランジスタＱ１７、スイッチング素子ＳＷ１８、ダイオードＤ１５、トランジスタＱ２７、スイッチング素子ＳＷ２８を有する。
配線ｃ１（第一負荷接続部）と配線ｂ０（共通入力接続部）との間は、トランジスタＱ１７のベース−エミッタ、スイッチング素子ＳＷ１８、ダイオードＤ１５の直列回路（第一入力接続部１１１）を介して接続している。なお、トランジスタＱ１７、スイッチング素子ＳＷ１８、ダイオードＤ１５の順序は、これと異なっていてもよい。また、ダイオードＤ１５はなくてもよい。
配線ｃ３（第二負荷接続部）と配線ｂ０（共通入力接続部）との間は、トランジスタＱ２７のベース−エミッタ、スイッチング素子ＳＷ２８、ダイオードＤ２５の直列回路（第二入力接続部１１２）を介して接続している。なお、トランジスタＱ２７、スイッチング素子ＳＷ２８、ダイオードＤ２５の順序は、これと異なっていてもよい。また、ダイオードＤ２５はなくてもよい。
なお、第一入力接続部１１１の構成と第二入力接続部１１２の構成とは、異なる構成であってもよい。
【０１２８】
スイッチング素子ＳＷ１８及びスイッチング素子ＳＷ２８は、制御回路１５０からの信号に基づいてオンオフする。正常時において、制御回路１５０は、スイッチング素子ＳＷ１８及びスイッチング素子ＳＷ２８をともにオンにしておく。
【０１２９】
制御回路１５０は、ＬＥＤ回路２１０の異常を検出した場合に、スイッチング素子ＳＷ１８をオフにする。スイッチング素子ＳＷ１８がオフになると、配線ｃ１と配線ｂ０との間の接続が遮断される。
なお、制御回路１５０は、ＬＥＤ回路２１０の短絡異常を検出した場合のみ、スイッチング素子ＳＷ１８をオフにしてもよいし、ＬＥＤ回路２２０の異常を検出した場合にもスイッチング素子ＳＷ１８をオフにしてもよい。
同様に、制御回路１５０は、ＬＥＤ回路２３０の異常を検出した場合に、スイッチング素子ＳＷ２８をオフにして、配線ｃ３と配線ｂ０との間の接続を遮断する。
【０１３０】
実施の形態５で説明したように、第一入力接続部１１１及び第二入力接続部１１２の合計順方向降下電圧が低いと、ＬＥＤ回路２１０またはＬＥＤ回路２３０に短絡異常が発生した場合に、カレントミラー回路１１０が正常に動作しなくなる可能性がある。
他方、第一入力接続部１１１及び第二入力接続部１１２の合計順方向降下電圧を高くすると、正常時に可変直流電源Ｅ７１が生成する直流電圧の電圧値をその分高くする必要があるので、誘導灯装置８００の消費電力が増大する。
誘導灯装置８００の消費電力は、できる限り低く抑えたい。誘導灯装置８００の消費電力が低ければ、通常時における省エネルギーになるだけでなく、停電時において充電池の持ち時間が長くなるので、同じ時間点灯するためには小さい充電地で済み、誘導灯装置８００の小型化、低コスト化が図れるからである。
【０１３１】
上記のような観点から、この実施の形態における電源装置１００は、第一入力接続部１１１及び第二入力接続部１１２の合計順方向降下電圧をあえて低く設定している。
【０１３２】
図２０は、この実施の形態における電源装置１００の各部の電位を示すグラフ図（ＬＥＤ回路２１０短絡異常時）である。
ＬＥＤ回路２１０に短絡異常が発生した場合、可変直流電源Ｅ７１が生成する直流電圧の電圧値が下がり、トランジスタＱ１２、トランジスタＱ２１、トランジスタＱ２２のコレクタ−エミッタ間電圧が０になる。
トランジスタＱ１２、トランジスタＱ２１、トランジスタＱ２２がオフになり、コレクタ電流が０になるとともに、ＬＥＤ回路２２０、ＬＥＤ回路２３０、ＬＥＤ回路２４０の両端電圧は、発光ダイオード素子を点灯させるのに必要な電圧値より低くなるので、ＬＥＤ回路２２０、ＬＥＤ回路２３０、ＬＥＤ回路２４０は消灯し、ＬＥＤ回路２１０だけが点灯した状態となる。
なお、抵抗器Ｒ１４、抵抗器Ｒ２３、抵抗器Ｒ２４を流れる電流は、トランジスタＱ１７から、トランジスタＱ１２、トランジスタＱ２１、トランジスタＱ２２のベース端子を介して供給される。
【０１３３】
制御回路１５０は、配線ｃ１の電位は変わらず、配線ｃ２、配線ｃ３、配線ｃ４の電位が下がったことを検出して、ＬＥＤ回路２１０の異常を検出する。制御回路１５０は、スイッチング素子ＳＷ６１をオフにし、可変抵抗器ＶＲ７２の抵抗値を２倍にするとともに、スイッチング素子ＳＷ１８をオフにする。
【０１３４】
図２１は、この実施の形態における電源装置１００の各部の電位を示すグラフ図（ＬＥＤ回路２１０短絡異常、スイッチング素子ＳＷ６１オフ、スイッチング素子ＳＷ１８オフ時）である。
【０１３５】
スイッチング素子ＳＷ１８がオフになると、トランジスタＱ１７から、トランジスタＱ１２、トランジスタＱ２１、トランジスタＱ２２に対してベース電流が供給されなくなるので、配線ｄ０の電位が下がり、可変直流電源Ｅ７１が生成する直流電圧の電圧値が上がる。
第二入力接続部１１２の両端電圧ＶＤ２が第二入力接続部１１２の合計順方向降下電圧に達すると、第二入力接続部１１２を介して、トランジスタＱ２１、トランジスタＱ２２にベース電流が供給されるようになり、トランジスタＱ２１及びトランジスタＱ２２がオンになるので、配線ｄ０の電位が回復し、安定する。
これにより、ＬＥＤ回路２３０及びＬＥＤ回路２４０が点灯する。このとき、ＬＥＤ回路２３０を流れる電流Ｉ３と、ＬＥＤ回路２４０を流れる電流Ｉ４とは、カレントミラー回路１１０の働きによりほぼ同じになる。
【０１３６】
すなわち、スイッチング素子ＳＷ１８をオフにすることにより、カレントミラー回路１１０の動作が回復し、正常に動作するようになる。
【０１３７】
ＬＥＤ回路２３０に短絡異常が発生した場合も同様に、カレントミラー回路１１０は、一時正常に動作しなくなるが、制御回路１５０が異常を検出してスイッチング素子ＳＷ２８をオフにすることにより、カレントミラー回路１１０の動作が回復し、正常に動作するようになる。
【０１３８】
ＬＥＤ回路２２０やＬＥＤ回路２４０に短絡異常が発生した場合や、ＬＥＤ回路２１０〜ＬＥＤ回路２４０のいずれかに切断異常が発生した場合は、カレントミラー回路１１０は正常に動作するので、スイッチング素子ＳＷ１８やスイッチング素子ＳＷ２８をオフにする必要はないが、オフにしてもよい。スイッチング素子ＳＷ１８またはスイッチング素子ＳＷ２８のいずれかをオフにしても、カレントミラー回路１１０は正常に動作するからである。
【０１３９】
次に、停電時の動作について説明する。
停電時には、ＬＥＤ回路２１０〜２４０のいずれかが故障している場合であっても、点灯できるＬＥＤ回路２１０〜２４０をすべて点灯したい。
制御回路１５０は、例えば、商用電源からの電圧を測定することにより、停電を検出する。
制御回路１５０は、停電を検出した場合、ＬＥＤ回路２１０〜２４０の異常検出の有無にかかわらず、スイッチング素子ＳＷ６１及びスイッチング素子ＳＷ６２をともにオンにする。しかし、制御回路１５０は、スイッチング素子ＳＷ１８またはスイッチング素子ＳＷ２８の状態を変えない。したがって、異常検出によりスイッチング素子ＳＷ１８またはスイッチング素子ＳＷ２８がオフになっている場合、スイッチング素子ＳＷ１８またはスイッチング素子ＳＷ２８はオフのままである。
【０１４０】
図２２は、この実施の形態における電源装置１００の各部の電位を示すグラフ図（ＬＥＤ回路２１０短絡異常、スイッチング素子ＳＷ１８オフ、スイッチング素子ＳＷ６１オン時）である。
ＬＥＤ回路２１０の短絡異常によりＬＥＤ回路２１０の両端電圧ＶＬＥＤ１が小さく、その分トランジスタＱ１１のコレクタ−エミッタ間電圧ＶＣＥ１が高くなるが、スイッチング素子ＳＷ１８がオフなので、カレントミラー回路１１０は正常に動作する。
トランジスタＱ１１、トランジスタＱ１２、トランジスタＱ２１、トランジスタＱ２２には、第二入力接続部１１２からベース電流が供給され、ＬＥＤ回路２１０を流れる電流Ｉ１、ＬＥＤ回路２２０を流れる電流Ｉ２、ＬＥＤ回路２３０を流れる電流Ｉ３、ＬＥＤ回路２４０を流れる電流Ｉ４は、ほぼ同じになる。
【０１４１】
これにより、停電時において、点灯できるＬＥＤ回路２１０〜２４０をすべて点灯することができる。
【０１４２】
この実施の形態における電源装置１００によれば、第一の負荷回路（ＬＥＤ回路２１０）に短絡異常が発生した場合であっても、カレントミラー回路１１０が正常に動作するという効果を奏する。
【０１４３】
この実施の形態における電源装置１００によれば、第二の負荷回路（ＬＥＤ回路２３０）に短絡異常が発生した場合であっても、カレントミラー回路１１０が正常に動作するという効果を奏する。
【０１４４】
この実施の形態における電源装置１００によれば、ＬＥＤ回路２１０やＬＥＤ回路２３０に短絡異常が発生した場合であっても、停電時には、点灯できるすべてのＬＥＤ回路２１０〜２４０を点灯できるという効果を奏する。
【０１４５】
実施の形態７．
実施の形態７について、図２３〜図２５を用いて説明する。
この実施の形態における誘導灯装置８００の外観は、実施の形態１で説明したものと同様なので、ここでは説明を省略する。
【０１４６】
図２３は、この実施の形態における誘導灯装置８００の電気回路の構成を示す電気回路図である。
なお、実施の形態６で説明した誘導灯装置８００と共通する部分については、同一の符号を付し、ここでは説明を省略する。
【０１４７】
カレントミラー回路１１０は、スイッチング素子ＳＷ１８、スイッチング素子ＳＷ２８に代えて、抵抗器Ｒ１９（限流素子）、抵抗器Ｒ２９（限流素子）を有する。
【０１４８】
配線ｃ１（第一負荷接続部）と配線ｂ０（共通入力接続部）との間は、トランジスタＱ１７のベース−エミッタ、抵抗器Ｒ１９、ダイオードＤ１５の直列回路（第一入力接続部１１１）を介して接続している。
配線ｃ３（第二負荷接続部）と配線ｂ０（共通入力接続部）との間は、トランジスタＱ２７のベース−エミッタ、抵抗器Ｒ２９、ダイオードＤ２５の直列回路（第二入力接続部１１２）を介して接続している。
なお、第一入力接続部１１１の構成と第二入力接続部１１２の構成とは、異なる構成であってもよい。
【０１４９】
図２４は、この実施の形態における第一入力接続部１１１の電圧電流特性を示すグラフ図である。
横軸は、第一入力接続部１１１の両端電圧ＶＤ１（配線ｃ１と配線ｂ０との電位差）を示す。縦軸は、第一入力接続部１１１の出力電流ＩＤ１（トランジスタＱ１７のエミッタ電流）を示す。
【０１５０】
第一入力接続部１１１の両端電圧ＶＤ１は、トランジスタＱ１７のベース−エミッタ間の降下電圧ＶＢＥ１７と、ダイオードＤ１５の降下電圧Ｖ１５と、抵抗器Ｒ１９の降下電圧Ｖ１９との和である。電圧ＶＤ１が、トランジスタＱ１７のベース−エミッタ間の順方向降下電圧とダイオードＤ１５の順方向降下電圧との和より小さいと、トランジスタＱ１７、ダイオードＤ１５ともにオフなので、電流ＩＤ１はほぼ０である。電圧ＶＤ１が、トランジスタＱ１７のベース−エミッタ間の順方向降下電圧とダイオードＤ１５の順方向降下電圧との和より大きいと、トランジスタＱ１７及びダイオードＤ１５がオンになり、電流ＩＤ１が流れる。抵抗器Ｒ１９の降下電圧Ｖ１９は電流ＩＤ１に比例するので、電流ＩＤ１が増加すると、電圧ＶＤ１も増加する。
【０１５１】
図２５は、この実施の形態における電源装置１００の各部の電位を示すグラフ図（ＬＥＤ回路２１０短絡異常時）である。
【０１５２】
ＬＥＤ回路２１０に短絡異常が発生したことにより、ＬＥＤ回路２１０の両端電圧ＶＬＥＤ１が下がり、配線ｃ１の電位が上昇する。第一入力接続部１１１の両端電圧ＶＤ１が増加するので、第一入力接続部１１１の出力電流ＩＤ１が増える。トランジスタＱ１１、トランジスタＱ１２、トランジスタＱ２１、トランジスタＱ２２のベース電流が増えるので、トランジスタＱ１１、トランジスタＱ１２、トランジスタＱ２１、トランジスタＱ２２のエミッタ電流が増加し、配線ｄ０の電位が上がって、可変直流電源Ｅ７１が生成する直流電圧の電圧値を下げる。
【０１５３】
この例において、ＬＥＤ回路２２０、ＬＥＤ回路２３０、ＬＥＤ回路２４０のうち、もっとも点灯時の両端電圧が高いＬＥＤ回路２２０が、一番先に不点灯になりかける。
ＬＥＤ回路２２０が不点灯になりかけて、ＬＥＤ回路２２０を流れる電流Ｉ２が減少すると、トランジスタＱ１２のコレクタ電流が減る。トランジスタＱ１２のベース−エミッタ間電圧は一定なので、トランジスタＱ１２のエミッタ電流は変化せず、コレクタ電流の減少分を、ベース電流により補う。
【０１５４】
トランジスタＱ１２がより多くのベース電流を引っ張るようになるので、他のトランジスタＱ１１、トランジスタＱ２１、トランジスタＱ２２の分け前が減り、ベース電流が減少する。その結果、トランジスタＱ１１、トランジスタＱ２１、トランジスタＱ２２のエミッタ電流が正常値に戻るので、配線ｄ０の電位も正常値に戻り、可変直流電源Ｅ７１が生成する直流電圧の電圧値が、それ以上下がることはない。
したがって、第一入力接続部１１１の両端電圧ＶＤ１の増加に伴う出力電流ＩＤ１の増加分と同じだけ、ＬＥＤ回路２２０を流れる電流Ｉ２が減るが、不点灯にはならない。
【０１５５】
第一入力接続部１１１の両端電圧ＶＤ１の増加に伴う出力電流ＩＤ１の増加が無視できるとすれば、ＬＥＤ回路２１０〜２４０を流れる電流は、ほぼ均等である。
【０１５６】
ＬＥＤ回路２３０に短絡異常が発生した場合も同様に、不点灯になるＬＥＤ回路は存在せず、ＬＥＤ回路２１０〜２４０を流れる電流は、ほぼ均等になる。
【０１５７】
したがって、異常検出により一部のＬＥＤ回路を消灯した場合はもちろん、停電検出により点灯できるＬＥＤ回路をすべて点灯したい場合であっても、カレントミラー回路１１０が正常に動作し、誘導灯を点灯できる。
【０１５８】
この実施の形態における電源装置１００によれば、第一の負荷回路（ＬＥＤ回路２１０）または第二の負荷回路ＬＥＤ回路２３０に短絡異常が発生した場合であっても、カレントミラー回路１１０が正常に動作するという効果を奏する。
【０１５９】
実施の形態８．
実施の形態８について、図２６〜図２７を用いて説明する。
この実施の形態における誘導灯装置８００の外観は、実施の形態１で説明したものと同様なので、ここでは説明を省略する。
【０１６０】
図２６は、この実施の形態における誘導灯装置８００の電気回路の構成の別の例を示す電気回路図である。
カレントミラー回路１１０は、第一入力接続部１１１として、トランジスタＱ３１、トランジスタＱ３２、抵抗器Ｒ３３、抵抗器Ｒ３４、抵抗器Ｒ３５を有し、第二入力接続部１１２として、トランジスタＱ４１、トランジスタＱ４２、抵抗器Ｒ４３、抵抗器Ｒ４４、抵抗器Ｒ４５を有する。
【０１６１】
配線ｃ１（第一負荷接続部）と配線ｂ０（共通入力接続部）との間は、抵抗器Ｒ３３、抵抗器Ｒ３４、トランジスタＱ３２のベース−エミッタの直列回路を介して接続している。トランジスタＱ３１は、ベース端子が、抵抗器Ｒ３３と抵抗器Ｒ３４との接続点に接続し、エミッタ端子が、抵抗器Ｒ３４とトランジスタＱ３２のベース端子との接続点に接続し、コレクタ端子が、配線ａ０に接続している。また、配線ａ０とトランジスタＱ３２のコレクタ端子との間は、抵抗器Ｒ３５を介して接続している。
配線ｃ３（第二負荷接続部）と配線ｂ０（共通入力接続部）との間は、抵抗器Ｒ４３、抵抗器Ｒ４４、トランジスタＱ４２のベース−エミッタの直列回路を介して接続している。トランジスタＱ４１は、ベース端子が、抵抗器Ｒ４３と抵抗器Ｒ４４との接続点に接続し、エミッタ端子が、抵抗器Ｒ４４とトランジスタＱ４２のベース端子との接続点に接続し、コレクタ端子が、配線ａ０に接続している。また、配線ａ０とトランジスタＱ４２のコレクタ端子との間は、抵抗器Ｒ４５を介して接続している。
なお、第一入力接続部１１１の構成と第二入力接続部１１２の構成とが、異なる構成であってもよい。
【０１６２】
図２７は、この実施の形態における第一入力接続部１１１の電圧電流特性を示すグラフ図である。
横軸は、第一入力接続部１１１の両端電圧ＶＤ１（配線ｃ１と配線ｂ０との電位差）を示す。縦軸は、第一入力接続部１１１の出力電流ＩＤ１（トランジスタＱ３２のエミッタ電流）を示す。
【０１６３】
第一入力接続部１１１の両端電圧ＶＤ１は、抵抗器Ｒ３３の降下電圧Ｖ３３と、抵抗器Ｒ３４の降下電圧Ｖ３４トランジスタＱ３２のベース−エミッタ間の降下電圧ＶＢＥ３２との和である。電圧ＶＤ１が、トランジスタＱ３２のベース−エミッタ間の順方向降下電圧より低いと、トランジスタＱ３２がオフなので、電流ＩＤ１はほぼ０である。電圧ＶＤ１が、トランジスタＱ３２のベース−エミッタ間の順方向降下電圧より高いと、トランジスタＱ３２がオンになり、電流ＩＤ１が流れる。
【０１６４】
第一入力接続部１１１の出力電流ＩＤ１は、トランジスタＱ３２のコレクタ電流ＩＣ３２と、抵抗器Ｒ３４を流れる電流Ｉ３４と、トランジスタＱ３１のエミッタ電流ＩＥ３１との和である。
電流ＩＣ３２は、抵抗器Ｒ３５により制限されるので、トランジスタＱ３２がオンのときほぼ一定である。
電圧Ｖ３４が、トランジスタＱ３１のベース−エミッタ間の順方向降下電圧より低いと、トランジスタＱ３１がオフなので、電流ＩＥ３１はほぼ０である。このとき、電圧Ｖ３４は、抵抗器Ｒ３３と抵抗器Ｒ３４との分圧比で定まる。
電圧Ｖ３４が、トランジスタＱ３１のベース−エミッタ間の順方向降下電圧に達すると、トランジスタＱ３１がオンになり、電流ＩＥ３１が流れる。
【０１６５】
第一入力接続部１１１の電圧電流特性は、抵抗器Ｒ３３、抵抗器Ｒ３４、抵抗器Ｒ３５の抵抗値を変えることにより自由に設定可能なので、正常時及び短絡異常時にトランジスタＱ３２がオン、トランジスタＱ３１がオフの状態となるよう、あらかじめ設定しておく。
【０１６６】
実施の形態７で説明したように、ＬＥＤ回路２１０に短絡異常が発生した場合、電圧ＶＤ１の増加に伴う電流ＩＤ１の増加分と同じだけ、ＬＥＤ回路２１０〜ＬＥＤ回路２４０に流れる電流に差ができる。
したがって、この差を小さくするには、電圧ＶＤ１の増加に伴う電流ＩＤ１の増加を小さくすればよい。
【０１６７】
他方、切断異常時に停電を検出するなどして、点灯できるすべてのＬＥＤ回路を点灯しようとすると、切断したＬＥＤ回路を流れていた電流と同じ分の電流を、電流ＩＤ１により補う必要がある。
電圧ＶＤ１と電流ＩＤ１との関係が直線的で、電圧ＶＤ１の増加に伴う電流ＩＤ１の増加が小さい場合、切断したＬＥＤ回路を流れていた電流と同じ分の電流を補うには、電圧ＶＤ１をかなり高くしなければならない。
【０１６８】
これに対し、第一入力接続部１１１が図２７に示したような電圧電流特性を有している場合、短絡異常時には、電圧ＶＤ１の増加に伴う電流ＩＤ１の増加が小さいので、ＬＥＤ回路２１０〜２４０に流れる電流の差が小さい。また、切断異常時には、可変直流電源Ｅ７１が生成する直流電圧の電圧値を上げ、電圧ＶＤ１を高くして、トランジスタＱ３１をオンにすることにより、切断したＬＥＤ回路を流れていた電流を補うことができるので、電圧ＶＤ１をそれほど高くする必要はない。
また、第二入力接続部１１２についても、同様のことが言える。
【０１６９】
したがって、異常検出により一部のＬＥＤ回路を消灯した場合はもちろん、停電検出により点灯できるＬＥＤ回路をすべて点灯したい場合であっても、カレントミラー回路１１０が正常に動作し、誘導灯を点灯できる。
【０１７０】
この実施の形態における電源装置１００によれば、正常時、短絡異常時（異常検出による一部消灯時及び停電検出による全点灯時）、切断異常時（異常検出による一部消灯時及び停電検出による全点灯時）いずれにおいても、カレントミラー回路１１０が正常に動作するという効果を奏する。
【０１７１】
実施の形態９．
実施の形態９について、図２８〜図２９を用いて説明する。
この実施の形態における誘導灯装置８００の外観は、実施の形態１で説明したものと同様なので、ここでは説明を省略する。
【０１７２】
図２８は、この実施の形態における誘導灯装置８００の電気回路の構成を示す電気回路図である。
なお、実施の形態４で説明した誘導灯装置８００と共通する部分については、同一の符号を付し、ここでは説明を省略する。
【０１７３】
トランジスタＱ１１、トランジスタＱ１２、トランジスタＱ２１、トランジスタＱ２２は、エンハンスメント型のＮチャネルＭＯＳ−ＦＥＴである。
トランジスタＱ１１（第一のトランジスタ素子）は、ドレイン端子が配線ｃ１（第一負荷接続部）に、ゲート端子が配線ｂ０（共通入力接続部）に、ソース端子が配線ｅ１に接続している。
トランジスタＱ１２（第三のトランジスタ素子）は、ドレイン端子が配線ｃ２（第三負荷接続部）に、ゲート端子が配線ｂ０（共通入力接続部）に、ソース端子が配線ｅ２に接続している。
トランジスタＱ２１（第一のトランジスタ素子）は、ドレイン端子が配線ｃ３（第二負荷接続部）に、ゲート端子が配線ｂ０（共通入力接続部）に、ソース端子が配線ｅ３に接続している。
トランジスタＱ２２（第三のトランジスタ素子または第六のトランジスタ素子）は、ドレイン端子が配線ｃ４（第三負荷接続部または第四負荷接続部）に、ゲート端子が配線ｂ０（共通入力接続部）に、ソース端子が配線ｅ４に接続している。
【０１７４】
カレントミラー回路１１０は、更に、抵抗器Ｒ２０を有する。
抵抗器Ｒ２０は、一端を配線ｂ０（共通入力接続部）に接続し、他端を接地している。
抵抗器Ｒ２０は、ダイオードＤ１５及びダイオードＤ２５がともにオフのときに、配線ｂ０（共通入力接続部）の電位が不安定にならないようにするためのプルダウン抵抗であり、なくてもよい。
【０１７５】
上述したように、トランジスタＱ１１、トランジスタＱ１２、トランジスタＱ２１、トランジスタＱ２２としてバイポーラトランジスタを用いると、ＬＥＤ回路２１０〜２４０を流れる電流の間に、ベース電流分の差が生じる。
これに対して、トランジスタＱ１１、トランジスタＱ１２、トランジスタＱ２１、トランジスタＱ２２はＭＯＳ−ＦＥＴなので、ゲート電流がほぼ０であり、ＬＥＤ回路２１０〜２４０を流れる電流の間に、差が生じない。
【０１７６】
また、トランジスタＱ１１、トランジスタＱ１２、トランジスタＱ２１、トランジスタＱ２２はエンハンスメント型なので、ゲート−ソース間の電圧が例えば２．５Ｖ程度でオンになる。これは、一般的なバイポーラトランジスタがオンになるベース−エミッタ間電圧（例えば０．７Ｖ）よりも大きい。
例えば、ダイオードＤ１５がオンの状態だとすると、配線ｃ１と配線ｅ１との電位差は、ダイオードＤ１５の順方向降下電圧（例えば０．７Ｖ）と、トランジスタＱ１１のゲート−ソース間電圧（例えば２．５Ｖ）との和（例えば３．２Ｖ）である。
【０１７７】
配線ｃ１と配線ｅ１との電位差が大きいので、ＬＥＤ回路２１０〜ＬＥＤ回路２４０の両端電圧のバラツキが大きい場合でも、カレントミラー回路１１０は正常に動作する。また、配線ｃ１と配線ｅ１との電位差が、ＬＥＤ回路２１０を構成する発光ダイオード素子１つ分の順方向降下電圧より大きければ、ＬＥＤ回路２１０に短絡異常が発生した場合であっても、カレントミラー回路１１０が正常に動作する。
【０１７８】
図２９は、この実施の形態における誘導灯装置８００の電気回路の構成の別の例を示す電気回路図である。
この例において、スイッチング素子ＳＷ６１及びスイッチング素子ＳＷ６２が、ＬＥＤ回路２１０〜ＬＥＤ回路２４０及びカレントミラー回路１１０より上流側（電位の高い側）にある点が異なる。
【０１７９】
トランジスタＱ１１、トランジスタＱ１２、トランジスタＱ２１、トランジスタＱ２２としてＮＰＮ型バイポーラトランジスタを用いる場合、異常検出により一部のＬＥＤ回路を消灯するとき、消灯したＬＥＤ回路に対応するトランジスタ素子のベース電流を遮断するため、スイッチング素子ＳＷ６１及びスイッチング素子ＳＷ６２は、カレントミラー回路１１０より下流側（電位の低い側）にあることが必要である。
【０１８０】
これに対して、トランジスタＱ１１、トランジスタＱ１２、トランジスタＱ２１、トランジスタＱ２２としてＭＯＳ−ＦＥＴを用いる場合、ゲート電流は元々ほぼ０なので、スイッチング素子ＳＷ６１及びスイッチング素子ＳＷ６２を、カレントミラー回路１１０より上流側に設けることができる。
【０１８１】
スイッチング素子ＳＷ６１及びスイッチング素子ＳＷ６２がカレントミラー回路１１０より上流側にあるので、例えば、ＬＥＤ回路２１０に短絡異常が発生して、スイッチング素子ＳＷ６１をオフにし、ＬＥＤ回路２１０及びＬＥＤ回路２２０を消灯した場合、配線ｃ１の電位が下がり、ダイオードＤ１５がオフになる。
したがって、短絡異常によりＬＥＤ回路２１０の両端電圧ＶＬＥＤ１が減少する減少幅が、ダイオードＤ１５の順方向降下電圧とトランジスタＱ１１のゲート−ソース間電圧との和より大きい場合であっても、カレントミラー回路１１０は、正常に動作する。
【０１８２】
また、スイッチング素子ＳＷ６１及びスイッチング素子ＳＷ６２がカレントミラー回路１１０より下流側にあると、故障検出などにより、スイッチング素子ＳＷ６１またはスイッチング素子ＳＷ６２をオフにして、ＬＥＤ回路２１０またはＬＥＤ回路２３０を流れる電流が０になった場合、ＬＥＤ回路２１０またはＬＥＤ回路２３０における電圧降下がなくなるので、配線ｃ１または配線ｃ３の電位が高くなり、カレントミラー回路１１０が異常動作する可能性がある。
これに対して、スイッチング素子ＳＷ６１及びスイッチング素子ＳＷ６２がカレントミラー回路１１０より上流側にあれば、スイッチング素子ＳＷ６１またはスイッチング素子ＳＷ６２をオフにした場合、配線ｃ１または配線ｃ３の電位が低くなるので、カレントミラー回路１１０は正常に動作する。
したがって、スイッチング素子ＳＷ６１及びスイッチング素子ＳＷ６２は、カレントミラー回路１１０より上流側にあるほうが好ましい。
【０１８３】
この実施の形態における電源装置１００によれば、第一のトランジスタ素子（トランジスタＱ１１）及び第二のトランジスタ素子（トランジスタＱ２１）及び第三のトランジスタ素子（トランジスタＱ１２またはトランジスタＱ２２）のゲート電流がほぼ０なので、第一の負荷回路（ＬＥＤ回路２１０）及び第二の負荷回路（ＬＥＤ回路２３０）及び第三の負荷回路（ＬＥＤ回路２２０またはＬＥＤ回路２４０）を流れる電流を、ほぼ均等にすることができるという効果を奏する。
【０１８４】
この実施の形態における電源装置１００によれば、第一のトランジスタ素子（トランジスタＱ１１）及び第二のトランジスタ素子（トランジスタＱ２１）及び第三のトランジスタ素子（トランジスタＱ１２またはトランジスタＱ２２）のオン時におけるゲート−ソース間電圧が比較的高いので、第一の負荷回路（ＬＥＤ回路２１０）及び第二の負荷回路（ＬＥＤ回路２３０）及び第三の負荷回路（ＬＥＤ回路２２０またはＬＥＤ回路２４０）の両端電圧のバラツキが大きい場合でも、カレントミラー回路１１０が正常に動作するという効果を奏する。
【０１８５】
なお、この例では、ＮチャネルＭＯＳ−ＦＥＴを用いているが、ＰチャネルＭＯＳ−ＦＥＴを用いる構成としてもよい。
【０１８６】
実施の形態１０．
実施の形態１０について、図３０を用いて説明する。
この実施の形態における誘導灯装置８００の外観は、実施の形態１で説明したものと同様なので、ここでは説明を省略する。
【０１８７】
図３０は、この実施の形態における誘導灯装置８００の電気回路の構成を示す電気回路図である。
なお、実施の形態９で説明した誘導灯装置８００と共通する部分については、同一の符号を付し、ここでは説明を省略する。
【０１８８】
制御回路１５０は、ＬＥＤ回路２１０〜２４０の異常を検出するため、配線ｃ１、配線ｃ２、配線ｃ３、配線ｃ４の電位ではなく、配線ｅ１、配線ｅ２、配線ｅ３、配線ｅ４の電位を測定する。
【０１８９】
トランジスタＱ１１、トランジスタＱ１２、トランジスタＱ２１、トランジスタＱ２２として、ＭＯＳ−ＦＥＴ（絶縁型電界効果トランジスタ）を用いているので、各トランジスタＱ１１〜Ｑ２２のソース電流はドレイン電流とほぼ等しい。
配線ｄ０の電位が一定になるように、可変直流電源Ｅ７１が生成する直流電圧が制御されているので、配線ｅ１、配線ｅ２、配線ｅ３、配線ｅ４の電位は、抵抗器Ｒ１３、抵抗器Ｒ１４、抵抗器Ｒ２３、抵抗器Ｒ２４それぞれにおける電圧降下によって定まる。
したがって、配線ｅ１、配線ｅ２、配線ｅ３、配線ｅ４の電位を測定することにより、各ＬＥＤ回路２１０〜２４０を流れている電流がわかる。
【０１９０】
ＬＥＤ回路２１０〜２４０に異常がない場合、あるいは、ＬＥＤ回路２２０やＬＥＤ回路２４０が短絡した場合のようにカレントミラー回路１１０が正常に動作し、ＬＥＤ回路２１０〜２４０に流れる電流がほぼ均等になっている場合、配線ｅ１、配線ｅ２、配線ｅ３、配線ｅ４の電位はほぼ等しい。
制御回路１５０は、配線ｅ１、配線ｅ２、配線ｅ３、配線ｅ４の電位が所定の範囲内に納まっている場合には、ＬＥＤ回路２１０〜２４０に異常がないと判断する。
【０１９１】
これに対し、ＬＥＤ回路２１０〜２４０のいずれかが切断故障した場合、切断したＬＥＤ回路を流れる電流が０になるので、配線ｅ１、配線ｅ２、配線ｅ３、配線ｅ４のいずれかの電位だけが低くなり、配線ｄ０の電位とほぼ等しくなる。
制御回路１５０は、配線ｅ１、配線ｅ２、配線ｅ３、配線ｅ４の電位のうち１つだけが低くなった場合には、対応するＬＥＤ回路２１０〜２４０が切断故障したと判断する。
【０１９２】
また、ＬＥＤ回路２１０及びＬＥＤ回路２３０のいずれかが短絡故障した場合、短絡故障により減少した順方向降下電圧がカレントミラー回路１１０の許容範囲内であれば、カレントミラー回路１１０が正常に動作し、ＬＥＤ回路２１０〜２４０に流れる電流がほぼ均等になるので、配線ｅ１、配線ｅ２、配線ｅ３、配線ｅ４の電位はほぼ等しくなる。したがって、制御回路１５０は、ＬＥＤ回路２１０〜２４０に異常がないと判断する。
【０１９３】
これに対し、ＬＥＤ回路２１０及びＬＥＤ回路２３０のいずれかが短絡故障した場合であって、短絡故障により減少した順方向降下電圧がカレントミラー回路１１０の許容範囲を超えた場合には、ＬＥＤ回路２１０〜２４０に流れる電流が不均等になるので、配線ｅ１、配線ｅ２、配線ｅ３、配線ｅ４の電位がばらつく。
制御回路１５０は、配線ｅ１、配線ｅ２、配線ｅ３、配線ｅ４の電位がばらついた場合、ＬＥＤ回路２１０またはＬＥＤ回路２３０のいずれかが短絡故障したと判断する。
【０１９４】
短絡故障によりＬＥＤ回路２１０またはＬＥＤ回路２３０の順方向降下電圧が減少すると、その分の電圧がトランジスタＱ１１またはトランジスタＱ２１に加わり、ドレイン−ソース間電圧が上昇する。飽和領域で動作しているＭＯＳ−ＦＥＴのドレイン−ソース間電圧が上昇すると、チャネル長変調効果により、ドレイン電流（＝ソース電流）が上昇する。
このため、例えば、ＬＥＤ回路２１０が短絡故障した場合、配線ｅ１の電位が配線ｅ３の電位より高くなる。ＬＥＤ回路２３０が短絡故障した場合には、逆に、配線ｅ３の電位が配線ｅ１の電位より高くなる。
制御回路１５０は、ＬＥＤ回路２１０またはＬＥＤ回路２３０のいずれかが短絡故障したと判断した場合、更に、配線ｅ１の電位と配線ｅ３の電位とを比較することにより、ＬＥＤ回路２１０及びＬＥＤ回路２３０のどちらが短絡故障したかを判断する。
【０１９５】
制御回路１５０は、以上のようにして、ＬＥＤ回路２１０〜２４０の正常・異常を判断し、判断結果に基づいて、スイッチング素子ＳＷ６１及びスイッチング素子ＳＷ６２、可変抵抗器ＶＲ７２を制御する。制御の内容は、実施の形態１〜実施の形態９で説明したものと同様なので、ここでは説明を省略する。
【０１９６】
このように、制御回路１５０は、配線ｅ１、配線ｅ２、配線ｅ３、配線ｅ４の各電位を測定することにより、ＬＥＤ回路２１０〜２４０の異常を検出する。
ＬＥＤ回路２１０〜２４０に切断異常が発生した場合、切断したＬＥＤ回路の発光ダイオード素子を点灯することはできない。制御回路１５０は異常を検出し、ＬＥＤ回路の発光ダイオード素子を消灯する。
ＬＥＤ回路２１０〜２４０に短絡異常が発生した場合、カレントミラー回路１１０が正常に動作できる範囲内であれば、短絡異常の発生したＬＥＤ回路も含め、発光ダイオード素子を点灯することができる。この場合、制御回路１５０は異常とみなさず、正常な状態としてＬＥＤ回路の発光ダイオード素子の点灯を続ける。
ＬＥＤ回路２１０〜２４０に短絡異常が発生し、カレントミラー回路１１０が正常に動作できる範囲を超えた場合、すべてのＬＥＤ回路の発光ダイオード素子を点灯しようとすると、点灯できない。制御回路１５０は異常を検出し、スイッチング素子ＳＷ６１またはスイッチング素子ＳＷ６２をオフにして、短絡異常の発生したＬＥＤ回路のある側のパネルユニット８３０を消灯するとともに、短絡異常の発生したＬＥＤ回路を切り離して、反対側のパネルユニット８３０の点灯を続ける。
【０１９７】
このように、一部の短絡異常を異常と判断せず、正常状態とみなすことにより、正常点灯できる場合には点灯を続け、ＬＥＤユニット８３１をどうしても交換しなければならなくなった場合のみパネルユニット８３０を消灯して、利用者に通知する。
【０１９８】
また、配線ｃ１、配線ｃ２、配線ｃ３、配線ｃ４の電位を測定してＬＥＤ回路２１０〜２４０の異常を判断する場合は、正常におけるＬＥＤ回路２１０〜２４０の順方向降下電圧はバラバラなので、配線ｃ１、配線ｃ２、配線ｃ３、配線ｃ４の電位を測定しただけでは正常か異常かを判断することができず、正常時の電位と比較する必要がある。
これに対して、配線ｅ１、配線ｅ２、配線ｅ３、配線ｅ４の電位は、ＬＥＤ回路２１０〜２４０の順方向降下電圧によらず、ＬＥＤ回路２１０〜２４０を流れる電流によって決まるので、あらかじめ正常時の電位がわかっている。したがって、正常時の電位を測定して記憶しておく必要がなく、容易に異常判定をすることができる。
【０１９９】
なお、切断異常と短絡異常とを判別する方式として、上述した方式以外に、例えば、次のような方式がある。
【０２００】
切断異常の場合、４つのＬＥＤ回路２１０〜２４０を流れていた電流の合計と同じ電流を、切断したＬＥＤ回路を除く他の３つのＬＥＤ回路に流そうとするので、可変直流電源Ｅ７１は、生成する直流電圧を高くする。
これに対し、短絡異常の場合、ＬＥＤ回路２１０またはＬＥＤ回路２３０の順方向降下電圧が減少して配線ｃ１または配線ｃ３の電位が上昇し、正常時より多くの電流が流れようとするのを阻止するため、可変直流電源Ｅ７１は、生成する直流電圧を低くする。
したがって、制御回路１５０は、配線ａ０の電位を測定するなどして、可変直流電源Ｅ７１が生成する直流電圧を上昇させたか下降させたかを判別すれば、切断異常と短絡異常とを判別することができる。
【図面の簡単な説明】
【０２０１】
【図１】実施の形態１における誘導灯装置８００の使用態様を示す斜視図。
【図２】実施の形態１における誘導灯装置８００の外観を示す三面図。
【図３】実施の形態１におけるパネルユニット８３０の構成を示す分解図。
【図４】実施の形態１における誘導灯装置８００の電気回路の構成を示す電気回路図。
【図５】実施の形態１における電源装置１００の各部の電位を示すグラフ図（正常時）。
【図６】実施の形態１における電源装置１００の各部の電位を示すグラフ図（ＬＥＤ回路２２０切断時）。
【図７】実施の形態１における電源装置１００の各部の電位を示すグラフ図（ＬＥＤ回路２１０切断時）。
【図８】実施の形態２における誘導灯装置８００の電気回路の構成を示す電気回路図。
【図９】実施の形態２における電源装置１００の各部の電位を示すグラフ図（正常時）。
【図１０】実施の形態２における電源装置１００の各部の電位を示すグラフ図（ＬＥＤ回路２１０切断時）。
【図１１】実施の形態３における誘導灯装置８００の電気回路の構成を示す電気回路図。
【図１２】実施の形態４における誘導灯装置８００の電気回路の構成を示す電気回路図。
【図１３】実施の形態４における電源装置１００の各部の電位を示すグラフ図（正常時）。
【図１４】実施の形態４における誘導灯装置８００の電気回路の構成の別の例を示す電気回路図。
【図１５】実施の形態４における誘導灯装置８００の電気回路の構成の更に別の例を示す電気回路図。
【図１６】実施の形態５における誘導灯装置８００の電気回路の構成を示す電気回路図。
【図１７】実施の形態５における電源装置１００の各部の電位を示すグラフ図（ＬＥＤ回路２２０短絡異常時）。
【図１８】実施の形態５における電源装置１００の各部の電位を示すグラフ図（ＬＥＤ回路２１０短絡異常時）。
【図１９】実施の形態６における誘導灯装置８００の電気回路の構成を示す電気回路図。
【図２０】実施の形態６における電源装置１００の各部の電位を示すグラフ図（ＬＥＤ回路２１０短絡異常時）。
【図２１】実施の形態６における電源装置１００の各部の電位を示すグラフ図（ＬＥＤ回路２１０短絡異常、スイッチング素子ＳＷ６１オフ、スイッチング素子ＳＷ１８オフ時）。
【図２２】実施の形態６における電源装置１００の各部の電位を示すグラフ図（ＬＥＤ回路２１０短絡異常、スイッチング素子ＳＷ１８オフ、スイッチング素子ＳＷ６１オン時）。
【図２３】実施の形態７における誘導灯装置８００の電気回路の構成を示す電気回路図。
【図２４】実施の形態７における第一入力接続部１１１の電圧電流特性を示すグラフ図。
【図２５】実施の形態７における電源装置１００の各部の電位を示すグラフ図（ＬＥＤ回路２１０短絡異常時）。
【図２６】実施の形態８における誘導灯装置８００の電気回路の構成の別の例を示す電気回路図。
【図２７】実施の形態８における第一入力接続部１１１の電圧電流特性を示すグラフ図。
【図２８】実施の形態９における誘導灯装置８００の電気回路の構成を示す電気回路図。
【図２９】実施の形態９における誘導灯装置８００の電気回路の構成の別の例を示す電気回路図。
【図３０】実施の形態１０における誘導灯装置８００の電気回路の構成を示す電気回路図。
【符号の説明】
【０２０２】
１００  電源装置、１１０  カレントミラー回路、１１１  第一入力接続部、１１２  第二入力接続部、１５０  制御回路、２１０，２２０，２３０，２４０  ＬＥＤ回路、８００  誘導灯装置、８１０  本体、８２０  電源ユニット、８３０  パネルユニット、８３１  ＬＥＤユニット、８３５  導光板、８３８  誘導灯表示板、Ｄ１５，Ｄ１６，Ｄ２５，Ｄ２６  ダイオード、Ｅ７１  可変直流電源、Ｑ１１，Ｑ１２，Ｑ１７，Ｑ２１，Ｑ２２，Ｑ２７，Ｑ３１，Ｑ３２，Ｑ４１，Ｑ４２  トランジスタ、Ｒ１３，Ｒ１４，Ｒ１９，Ｒ２０，Ｒ２３，Ｒ２４，Ｒ２９，Ｒ３３，Ｒ３４，Ｒ３５，Ｒ４３，Ｒ４４，Ｒ４５  抵抗器、ＳＷ１８，ＳＷ２８，ＳＷ６１，ＳＷ６２  スイッチング素子、ＶＲ７２  可変抵抗器。
【図１】
2008311248.tif 000003
【図２】
2008311248.tif 000004
【図３】
2008311248.tif 000005
【図４】
2008311248.tif 000006
【図５】
2008311248.tif 000007
【図６】
2008311248.tif 000008
【図７】
2008311248.tif 000009
【図８】
2008311248.tif 000010
【図９】
2008311248.tif 000011
【図１０】
2008311248.tif 000012
【図１１】
2008311248.tif 000013
【図１２】
2008311248.tif 000014
【図１３】
2008311248.tif 000015
【図１４】
2008311248.tif 000016
【図１５】
2008311248.tif 000017
【図１６】
2008311248.tif 000018
【図１７】
2008311248.tif 000019
【図１８】
2008311248.tif 000020
【図１９】
2008311248.tif 000021
【図２０】
2008311248.tif 000022
【図２１】
2008311248.tif 000023
【図２２】
2008311248.tif 000024
【図２３】
2008311248.tif 000025
【図２４】
2008311248.tif 000026
【図２５】
2008311248.tif 000027
【図２６】
2008311248.tif 000028
【図２７】
2008311248.tif 000029
【図２８】
2008311248.tif 000030
【図２９】
2008311248.tif 000031
【図３０】
2008311248.tif 000032